(57)【要約】第一の取り外し可能ファスナ部材（１０）及び第二の取り外し可能ファスナ部材（２０）を含む磁気ファスナ（１）であり、前記第一及び第二の取り外し可能ファスナ部材（１０、２０）が、それぞれ磁気結合軸方向に沿って磁力によって相互に引き付けられる第一及び第二の磁気結合面（３４、６４）を含み、該磁気ファスナが、前記第一のファスナ部品と第二のファスナ部品（１０、２０）が磁気結合されるとき前記第一の磁気結合面と前記第二の結合面（３４、６４）との間の相対的な側方の動きに抵抗するのに適する保護手段（９９）を含み、前記第一及び第二のファスナ部材（１０、２０）が、前記第一及び第二のファスナ部材が磁気結合され同時に前記磁気結合軸方向を横切って加えられる側方の張力を受けるときほぼ前記磁気結合軸方向に沿った前記第一のファスナ部材と第二のファスナ部材（３４、６４）の外れに抵抗するのに適する協同的捕捉手段（３９１、９９１）を含む。
2006516916.tif 000002
【特許請求の範囲】
【請求項１】
第一の取り外し可能ファスナ部材及び第二の取り外し可能ファスナ部材を含む磁気ファスナにおいて、前記第一及び前記第二の取り外し可能ファスナ部材は、それぞれ磁気結合軸方向に沿って相互に磁力によって引き付けられる第一及び第二の磁気結合面を含み、前記磁気ファスナは、前記第一のファスナ部材と前記第二のファスナ部材が磁気で結合されているとき前記第一の磁気結合面と前記第二の磁気結合面との間の相対的な側方移動への抵抗に適合される保護手段を含み、前記第一及び第二のファスナ部材は、前記第一及び第二のファスナ部材が磁気で結合されると同時に前記磁気結合軸方向を横切って加えられる側方の張力を受けるときほぼ前記磁気結合軸方向に沿って前記第一及び第二のファスナ部材の外れに抵抗するのに適合される協同的捕捉手段を含んでいることを特徴とする磁気ファスナ。
【請求項２】
前記保護手段は、前記第一の取り外し可能部材と前記第二の取り外し可能部材が磁気で結合されて前記第一の磁気結合面と前記第二の磁気結合面が隣接して接触しているとき、前記第一及び前記第二の磁気結合面を取り囲む周囲手段を含んでいることを特徴とする請求項１に記載の磁気ファスナ。
【請求項３】
前記ラッチ手段は、前記第一のファスナ部材と前記第二のファスナ部材が磁気で結合しており且つ隣接して接触しているとき、ほぼ前記磁気結合方向に沿って伸びており且つ前記第一及び前記第二の磁気結合面をほぼ取り囲む周壁を含んでいることを特徴とする請求項１に記載の磁気ファスナ。
【請求項４】
前記周壁は、前記取り外し可能ファスナ部材のうちの一方の一部として含まれており、前記周壁は前記取り外し可能ファスナ部材のうちの前記一方の磁気結合面より上に高くなっている狭窄部を含んでおり、前記狭窄部は前記磁気結合方向に沿って対応する取り外し可能ファスナ部材の磁気結合面の通過を許容するために適合されており、前記周壁の前記高い狭窄部は、前記対応する取り外し可能ファスナ部材の前記磁気結合面が側方に加えられる張力を受けながら前記磁気結合方向に沿って磁気結合から外されるとき、前記対応する取り外し可能ファスナ部材の前記磁気結合面の通過に一般に抵抗することを特徴とする請求項３に記載の磁気ファスナ。
【請求項５】
前記第一及び第二の取り外し可能ファスナ部材は、それぞれ、第一及び第二の永久磁石を含んでおり、前記第一及び第二の永久磁石が、それぞれ相反する磁極を有する前記第一及び第二の磁気結合面を含み、前記第一及び前記第二の永久磁石が各々非磁性のハウジングに受け入れられていることを特徴とする請求項４に記載の磁気ファスナ。
【請求項６】
前記第二の永久磁石が受け入れられている前記非磁性のハウジングはフレア状ベース部を含んでおり、前記フレア状ベース部は、前記磁気ファスナが側方に加えられる張力を受けるとき、前記第一の取り外し可能ファスナ部材と前記第二の取り外し可能ファスナ部材との間の縦方向の外れに抵抗するために適合されていることを特徴とする請求項５に記載の磁気ファスナ。
【請求項７】
前記周壁は前記取り外し可能ファスナ部材のうちの一方に含まれており、前記周壁はその内部に内向きに伸びているフランジ手段を含み且つ他方の対応する取り外し可能ファスナ部材は外向きに伸びているフランジ手段を含んでいることを特徴とする請求項３に記載の磁気ファスナ。
【請求項８】
前記内向きに伸びているフランジ手段及び外向きに伸びているフランジ手段のうちのいずれかまたはその両方は、実質的に外周に伸びているフランジ部を含んでいることを特徴とする請求項７に記載の磁気ファスナ。
【請求項９】
前記第一の取り外し可能ファスナ部材は第一の永久磁石を含み、前記第一の磁気結合面は前記第一の永久磁石に形成され、前記周壁は前記第一の取り外し可能ファスナ部材に含まれており、前記周壁によって画定されている開口が前記第一の磁気結合面の表面積より大きいことを特徴とする請求項８に記載の磁気ファスナ。
【請求項１０】
各々の前記第一及び前記第二の取り外し可能ファスナ部材は、それぞれ前記第一及び第二の磁気結合面を取り囲む非磁性のハウジングを含んでいることを特徴とする請求項３に記載の磁気ファスナ。
【請求項１１】
前記第一の取り外し可能ファスナ部材は第一の永久磁石を含んでおり、前記第一の永久磁石の磁気軸はほぼ前記第一の磁気結合方向に平行であり、前記周壁はほぼ前記磁気結合方向に沿って前記第一の磁気結合面から離れるように伸び且つ前記第一の磁気結合面を取り囲んでおり、外周リング部は前記第一の磁気結合面と前記周壁との中間に配置されていることを特徴とする請求項２に記載の磁気ファスナ。
【請求項１２】
前記周壁は前記第一の磁気結合面より上の高さに狭窄開口を含んでいることを特徴とする請求項１１に記載の磁気ファスナ。
【請求項１３】
前記外周リング部は実質的に非磁性であることを特徴とする請求項１１に記載の磁気ファスナ。
【請求項１４】
前記保護手段は、ほぼ前記磁気方向に沿って前記第一の磁気結合面と前記第二の磁気結合面との間の漸進的結合を案内するための手段を含んでいることを特徴とする請求項２に記載の磁気ファスナ。
【請求項１５】
各々の前記第一及び第二のファスナ部材は、前記第一または前記第二のファスナ部材を製品または製品の一部に取り付けるための取り付け手段を含んでおり、前記第一及び第二のファスナ部材の前記取り付け手段は前記磁気結合面の相反する側に配置されていることを特徴とする請求項１に記載の磁気ファスナ。
【請求項１６】
前記第一及び第二の取り外し可能ファスナ部材は、それぞれ第一及び第二の永久磁石を含んでおり、各々の前記第一及び前記第二の永久磁石は非磁性のハウジングによって囲まれていることを特徴とする請求項１に記載の磁気ファスナ。
【請求項１７】
各々の前記永久磁石は磁性のハウジングによって囲まれており、前記非磁性のハウジングは非磁性のハウジングによって囲まれていることを特徴とする請求項１６に記載の磁気ファスナ。
【請求項１８】
前記取り外し可能ファスナ部材を製品または製品の一部に取り付けるための取り付け手段は前記非磁性のハウジングに形成され、前記第一及び前記第二の取り外し可能ファスナ部材用の前記取り付け手段は前記磁気結合面の相反する側に形成されていることを特徴とする請求項１６に記載の磁気ファスナ。
【請求項１９】
第一の取り外し可能ファスナ部材及び第二の取り外し可能ファスナ部材を含む磁気ファスナにおいて、前記第一及び前記第二の取り外し可能ファスナ部材は、それぞれ、磁気結合軸方向に沿って相互に向かって磁力により引き付けられる第一及び第二の磁気結合面を含んでおり、前記磁気ファスナは、前記第一のファスナ部材と前記第二のファスナ部材が磁気で結合されているとき、前記第一の磁気結合面と前記第二の磁気結合面との間の相対的な側方の動きに抵抗するために適合されている保護手段を含み、各々の前記第一及び第二のファスナ部材は前記第一または前記第二のファスナ部材を製品または製品の一部に取り付けるための取り付け手段を含んでおり、前記第一及び第二のファスナ部材の前記取り付け手段は前記磁気結合面の相反する側に配置されていることを特徴とする磁気ファスナ。
【請求項２０】
前記取り付け手段は前記磁気結合方向に沿って配置されていることを特徴とする請求項１９に記載の磁気ファスナ。
【請求項２１】
両方の前記取り付け手段は前記磁気結合方向に沿って並びにこれを横切って加えられる張力に耐えるために適合されていることを特徴とする請求項１９に記載の磁気ファスナ。
【請求項２２】
前記取り付け手段はステム部及びキャップ部を含んでおり、前記ステム部は、一般的に前記取り外し可能ファスナ部材の前記磁気結合面から離れるように縦方向に伸びており、且つ前記キャップ部は一般的に前記磁気結合方向を横切って伸びていることを特徴とする請求項１９に記載の磁気ファスナ。
【請求項２３】
前記第一及び前記第二の取り外し可能ファスナ部材は、各々の磁気結合面を取り囲んでいる非磁性のハウジングを含んでおり、前記取り付け手段は前記非磁性のハウジングから支持されていることを特徴とする請求項１９に記載の磁気ファスナ。
【請求項２４】
前記取り外し可能ファスナ部材は、前記ステム部を前記製品または製品の一部に挿入しかつ前記製品または前記製品の一部を前記キャップ部と前記非磁性のハウジングとの間に保持することによって前記製品または前記製品の一部に取り付けられていることを特徴とする請求項１９に記載の磁気ファスナ。
【請求項２５】
リング形磁石またはリング形磁気アセンブリ及び前記磁石または前記磁気アセンブリが保持されているハウジングをさらに含んでおり、前記ハウジングは、前記リング形磁石またはリング形磁気アセンブリの中央開口に相当する前記ハウジングの領域に配置されている複数のソーイング・ホールを含んでいることを特徴とする請求項１に記載の磁気ファスナ。
【請求項２６】
リング形磁石またはリング形磁気アセンブリ及び前記磁石または前記磁気アセンブリが保持されているハウジングを含んでいる磁気ファスナにおいて、前記ハウジングは前記リング形磁石またはリング形磁気アセンブリの中央開口に相当する前記ハウジングの領域に配置されている複数のソーイング・ホールを含んでいることを特徴とする磁気ファスナ。
【発明の詳細な説明】
【技術分野】
【０００１】
本発明は磁気ファスナに関するものであり、より特定して言うと、補完的磁気特性を有する１対の組合せファスナを含む磁気ファスナに関するものである。さらに特定して言うと、本発明は複数の方向に加えられる引き外し力に耐えるための手段を有する磁気ファスナに関するものである。さらに明確に言うと、当然これのみに限定されるわけではないが、本発明はジーンズ及び衣料品などの衣服に使用するための磁気ファスナに関するものである。
【背景技術】
【０００２】
磁気ファスナは、長い間多くの消費財及び家庭用に広く使用されてきた。例えば、磁気ファスナは、衣料品及び衣服並びにハンドバッグ及びブリーフケースなどのアクセサリに使用されてきた。さらに、磁気ファスナは、冷蔵庫またはドアなど閉鎖のための家庭用器具にも使用されている。例えば１２００ガウス以上のタブレット形磁石など強力でコンパクトな永久磁石が低コストで入手できるようになって、磁気ファスナはさらに多く出回るようになっている。
【０００３】
磁気ファスナは、一般的に言って、磁気ファスナが提供する便利さゆえにボタンなど従来のファスナに比べて有利であると考えられる。例えば、衣料品の相応する可撓性の部分に１対の組合せ磁気ファスナが取り付けられている衣料品または衣服は、簡単に開閉できる。衣料品の可撓性の部分は、対の組合せ磁気ファスナが相互に接近すると相互の磁力が組合せ磁気ファスナを引き寄せて、周知のスナップ締めを行うので、簡単に閉めることができる。
【０００４】
しかし、このように閉鎖が簡単であることの直接の反作用は、対の組合せ磁気ファスナの間において不意のまたは不測の外れが生じる危険があることであり、これは場合によっては当惑を生じ、また場合によっては財産を失う可能性がある。さらに、従来の磁気ファスナは、一般に、単一の軸に沿ってのみ例えば磁気結合軸に沿ったまたはこれを横切る軸に沿ってのみ引き外し力に耐えることができる。従って、組合せ磁気ファスナの開閉は、一般的に言って２つの対応する永久磁石の間の共通磁気軸に沿って行われる。しかし、このような単純すぎる引っ張り抵抗では、一部の用途には適切ではない場合がある。従って、従来の磁気ファスナの欠点を軽減する改良磁気ファスナを提供することができれば非常に望ましいであろう。より明確に言うと、この改良磁気ファスナは、従来の磁気ファスナと同じまたは同様のレベルの便利さを提供しながら、組合せ磁気ファスナの間の不測の望ましくない不意の外れの危険を軽減しなければならない。さらに、複数方向に沿った引き外し力に抵抗しながら、従来の磁気ファスナの便利さを提供することができる改良磁気ファスナを提供することができれば非常に望ましいだろう。
【発明の開示】
【発明が解決しようとする課題】
【０００５】
従って、従来のまたは既知の磁気ファスナに伴う欠点を軽減する改良磁気ファスナを提供することが、本発明の主要な目的である。より明確に言うと、結合された組合せ磁気ファスナの間の望ましくないまたは不測の外れの危険を軽減するための手段を備える改良磁気ファスナを提供することが、本発明の目的である。本発明のもう１つの目的は、組合せ磁気ファスナの間の結合を外す傾向を有する複数方向の引き外し力に抵抗するための手段を備える改良磁気ファスナを提供することである。少なくとも、磁気ファスナの有益な選択肢を公衆に提供することが本発明の目的である。
【課題を解決するための手段】
【０００６】
本発明に従って、第一の取り外し可能ファスナ部材及び第二の取り外し可能ファスナ部材を含む磁気ファスナが提供される。前記第一及び第二の取り外し可能ファスナ部材は、それぞれ、磁気結合軸方向に沿って磁力によって相互に引き付けられる第一及び第二の磁気結合面を含み、磁気ファスナは、前記第一の磁気結合面と前記第二の磁気結合面が磁気結合しているとき前記第一の磁気結合面と前記第二の磁気結合面との間の相対的な側方の動きに抵抗するのに適する保護手段を含み、前記第一及び第二のファスナ部材は、前記第一のファスナ部材と前記第二のファスナ部材が磁気結合されると同時に前記磁気結合軸方向を横切って与えられる側方の張力を受けるときほぼ前記磁気結合軸方向に沿った前記第一のファスナ部材と第二のファスナ部材の外れに抵抗するのに適する協同的捕捉手段を含む。
【０００７】
本発明の望ましい実施態様に従えば、第一の取り外し可能ファスナ部材及び第二の取り外し可能ファスナ部材を含む磁気ファスナが提供される。前記第一及び第二の取り外し可能ファスナ部材は、それぞれ磁気結合軸方向に沿って磁力によって相互に引き付けられる第一及び第二の磁気結合面を含み、磁気ファスナは、前記第一のファスナ部材と前記第二のファスナ部材が磁気結合されるとき前記第一の磁気結合面と前記第二の磁気結合面との間の相対的な側方の動きに抵抗するのに適する保護手段を含み、前記第一及び第二のファスナ部材は、各々前記第一または第二のファスナ部材を製品または製品の一部に取り付けるための取り付け手段を含み、前記第一及び第二のファスナ部材の前記取り付け手段は、前記磁気結合面の相反する側に配置される。
【０００８】
本発明の望ましい実施態様に従えば、リング形磁石またはリング形磁気アセンブリ及び前記磁石または磁気アセンブリが保持されるハウジングを含む磁気ファスナが提供される。ハウジングは、リング形磁石またはリング形磁気アセンブリの中央開口に相当するハウジングの領域に配置される複数のソーイング・ホールを含む。
【０００９】
前記保護手段は、前記第一の取り外し可能部材と前記第二の取り外し可能部材が磁気結合されて第一の磁気結合面と第二の磁気結合面が接触しているとき第一及び第二の磁気結合面を取り囲む周囲手段を含むことが望ましい。
【００１０】
前記ラッチ手段は、ほぼ前記磁気結合方向に沿って伸びかつ前記第一のファスナ部材と前記第二のファスナ部材が磁気結合して接触しているとき前記第一及び前記第二の磁気結合面をほぼ取り囲む周壁を含むことが望ましい。
【００１１】
前記取り外し可能ファスナ部材のうち一方の一部として含まれる前記周壁は、取り外し可能ファスナ部材のうち前記一方の磁気結合面より高い狭窄部を含み、前記狭窄部は前記磁気結合方向に沿った対応する取り外し可能ファスナ部材の磁気結合面の通過を許容するのに適し、かつ前記周壁の前記高い狭窄部は、前記対応する取り外し可能ファスナ部材の磁気結合面が側方に加えられる張力を受けながら前記磁気結合方向に沿って磁気結合から外されるとき一般的に言って前記対応する取り外し可能ファスナ部材の前記磁気結合面の通過に抵抗することが望ましい。
【００１２】
前記第一及び第二の取り外し可能ファスナ部材は、それぞれ第一及び第二の永久磁石を含み、前記第一及び第二の永久磁石はそれぞれ相反する磁極を有する第一及び第二の磁気結合面を含み、かつ前記第一及び第二の永久磁石は各々非磁性ハウジングに受け入れられることが望ましい。
【００１３】
第二の永久磁石を受け入れる前記非磁性ハウジングは、フレア状のベース部を含み、磁気ファスナが側方に加えられる張力を受けるとき前記フレア状のベース部は前記第一の取り外し可能ファスナ部材と前記第二の取り外し可能ファスナ部材との間の縦方向の外れに抵抗するのに適することが望ましい。
【００１４】
前記周壁は前記取り外し可能ファスナ部材のうち一方に含められ、前記周壁はその内部に内向きに伸びるフランジ手段を含み、他方の対応する取り外し可能ファスナ部材は外向きに伸びるフランジ手段を含むことが望ましい。
【００１５】
前記内向き及び外向きに伸びるフランジ手段のうちいずれかまたはその両方は、実質的に円周に伸びるフランジ部を含むことが望ましい。
【００１６】
前記第一の取り外し可能ファスナ部材は第一の永久磁石を含み、前記第一の磁気結合面は前記第一の永久磁石上に形成され、前記周壁は前記第一の取り外し可能ファスナ部材に含まれ、かつ前記周壁によって形成される開口は前記第一の磁気結合面の表面積を上回ることが望ましい。
【００１７】
前記第一及び前記第二の取り外し可能ファスナ部材は、各々、それぞれ前記第一及び第二の磁気結合面を取り囲む非磁性ハウジングを含むことが望ましい。
【００１８】
前記第一の取り外し可能ファスナ部材は第一の永久磁石を含み、前記第一の永久磁石の磁気軸は一般的に言って前記第一の磁気結合方向に平行であり、前記周壁は一般的に言って前記磁気結合方向に沿って前記第一の磁気結合面から離れるように伸びて、前記第一の磁気結合面を取り囲み、円周リング部が前記第一の磁気結合面と前記周壁の中間に配置されることが望ましい。
【００１９】
前記周壁は前記第一の磁気結合面より高い点に狭窄開口部を含むことが望ましい。
【００２０】
前記円周リング部は実質的に非磁性であることが望ましい。
【００２１】
前記保護手段は前記第一の磁気結合面と前記第二の磁気結合面との間でほぼ磁気方向に沿って漸進的結合を案内するための手段を含むことが望ましい。
【００２２】
前記第一及び第二のファスナ部材は、各々、前記第一または第二のファスナ部材を製品または製品の一部に取り付けるための取り付け手段を含み、前記第一及び第二のファスナ部材の前記取り付け手段は前記磁気結合面の相反する側に配置されることが望ましい。
【００２３】
前記第一及び第二の取り外し可能ファスナ部材はそれぞれ第一及び第二の永久磁石を含み、前記第一及び第二の永久磁石は各々非磁性ハウジングに囲まれることが望ましい。
【００２４】
前記永久磁石は、各々、磁性ハウジングに取り囲まれ、前記非磁性ハウジングは非磁性ハウジングに取り囲まれることが望ましい。
【００２５】
前記取り外し可能ファスナ部材を製品または製品の一部に取り付けるための取り付け手段は前記非磁性ハウジングに形成され、前記第一及び第二の取り外し可能ファスナ部材用の前記取り付け手段は前記磁気結合面の相反する側に形成されることが望ましい。
【００２６】
前記取り付け手段は前記磁気結合方向に沿って配置されることが望ましい。
【００２７】
両方の前記取り付け手段は前記磁気結合方向に沿って並びにこれを横切って加えられる張力に耐えるのに適することが望ましい。
【００２８】
前記取り付け手段はステム部及びキャップ部を含み、前記ステム部は一般的に言って縦方向に前記取り外し可能ファスナ部材の磁気結合面から離れるように伸び、かつ前記キャップは一般的に言って前記磁気結合方向を横切って伸びることが望ましい。
【００２９】
前記第一及び第二の取り外し可能ファスナ部材はそれぞれの磁気結合面を取り囲む非磁性ハウジングを含み、前記取り付け手段は前記非磁性ハウジングの支持を受けることが望ましい。
【００３０】
前記取り外し可能ファスナ手段は前記ステム部を製品または製品の一部に挿入することによって、また前記製品または前記製品の一部を前記キャップ部と前記非磁性ハウジングとの間に保持することによって、前記製品またはその一部に取り付けられることが望ましい。
【００３１】
ファスナは、さらにリング形磁石またはリング形磁気アセンブリ及び前記磁石または磁気アセンブリが保持されるハウジングを含み、前記ハウジングは前記リング形磁石またはリング形磁気アセンブリの中央開口に相当する前記ハウジングの領域に配置される複数のソーイング・ホールを含むことが望ましい。
【００３２】
本発明の磁気ファスナの望ましい実施態様については、例として、添付図面を参照して下にさらに詳細に説明する。
【発明を実施するための最良の形態】
【００３３】
まず図１、１Ａ-０から１Ａ-７まで、１Ｂ-０から１Ｂ-８まで及び図１Ｃを参照すると、本発明の磁気ファスナ１の第一の望ましい実施態様が示されている。磁気ファスナ１は、第一のファスナ部品１０及び第二のファスナ部品２０を含む。第一のファスナ部品１０は主ハウジング３０及び取り付け手段４０を含む。主ハウジング３０は、永久磁石５０を受け入れるために組み合わされる第一及び第二のハウジング部品３１、３２を含む。取り付け手段４０はステム部４１及びキャップ部４２を含む。ステム部４１は、拡大部４３が主ハウジング内に維持されかつステム部４１の細長いネックが主ハウジング３０の第一のハウジング部品３１の上面に形成される相応する形状の開口３３を通って突き出す状態で取り付け手段４０が主ハウジング３０によって保持されるように、拡大下端４３を備える。ネック部４４からショルダ部への遷移は例えばフレア状など緩やかでも良いし、本件の例のように急激でもよい。
【００３４】
第二のハウジング部品３２は、透磁性の第一の磁気結合面３４、及び永久磁石を受け入れるための容器３５を含む。この第二のハウジング部品は、例えば一般的に言って本質的に磁性であるクロムまたはニッケルめっきのステンレス鋼で作ることができる。第一のハウジング部品３１はトップ部３８を含み、下向きに円周にスカート３９が伸びる。スカート３９の下端の円周には外向きに伸びるフランジ３９１が形成される。第二のハウジング部品に配置される複数の直立フィンガ３７を通じて第二のハウジング部品３２と結合するために、トップ部３８に複数の開口３６が形成される。第二のハウジング部品３２のフィンガ３７は結合面３４から伸び、開口３６の空間的位置に相応して配置される。
【００３５】
第一のファスナ部品１０を組み立てるために、タブレット形永久磁石５０は、磁極面のうち１つ（例えば、S極）が透磁性の第一の磁気結合面に隣接するように容器３５に入れられる。細長いネック部４４がトップ部３８から突き出しかつショルダ部４３が開口３３及びトップ部３８の下に保持されるように、まずステム部４１が第一のハウジング部品３１と組み立てられたら、第二のハウジング部品３２の上向きに突き出すフィンガ３７が第一のハウジング部品３１の開口３６と整合される。永久磁石５０及びステム部４１が所定の位置に入れられたら、第一と第二のハウジング部品３１、３２を組み合わせる。これは、例えば、第一のハウジング部品と第二のハウジング部品を一緒に圧して、その後タブレット形永久磁石５０が容器３５内にぴったりと嵌るように上向きに伸びるフィンガ３７を曲げることによって２つのハウジング部品を一緒に締め付けることによって行われる。この円周フランジ３９１の底面は、組み立てられると、第一の磁気結合面３４とほぼ同じ高さである。磁石５０の代わりに、リング形永久磁石及び中央突起を有する磁性ベースを含む磁気サブアセンブリ５０ａを使用することができる。
【００３６】
第一のファスナ部品１０の組み立てを完了するために、キャップ部４２をネック部４４の上端に接合する。望ましい応用においては、永久磁石５０、主ハウジング３０及びステム部４１を含むサブアセンブリにキャップ部４２を固定する前に、ネック部４４は、製品の表面に形成される開口またはボタンホールに通される。その代わりに、ファスナ部品が製品に保持されるようにネック部４４の拡大上端を形成するために、例えばネック部４４の上端をスタンピングすることによって変形することによって、サブアセンブリを製品にリベット留めすることができる。
【００３７】
第一のハウジング部品３１も、対応するファスナ２０との磁気結合の強化のためにタブレット形の永久磁石５０の裏極面（例えば、この例においてはＮ極）から発する磁場が方向を調整して円周フランジ３９１に沿って集中できるように、磁性材料例えばクロムまたはニッケルめっきのステンレス鋼で作ることができる。当然、一般性を失うことなく、第一のハウジング部品３１及び第二のハウジング部品３２は銅または真鍮など非磁性材料で作ることができる。
【００３８】
第二の磁気ファスナ部品２０を示す図１Ｂ及び１Ｂ-０から１Ｂ-８までを参照すると、ファスナ部品２０は、主ハウジング６０、取り付け手段７０及びタブレット形永久磁石５１を含む。取り付け手段７０は、一般的に言ってそれぞれ第一のファスナ部品１０のキャップ部４１及びステム部４２と同様であり同様の目的を果たすステム部７１及びキャップ部７２を含む。主ハウジング６０は、第一のハウジング部品６１、第二のハウジング部品６２及び第三のハウジング部品９１を含む。第一のハウジング部品６１と第二のハウジング部品６２は、それぞれ第一のハウジング部品６１及び第二のハウジング部品６２に配置される対応する対の開口６６と突出するフィンガ６７を通じて接続される。一般に言って、この第二の磁気ファスナ部品２０の第一のハウジング部品６１及び第二のハウジング部品６２は、第一のファスナ部品の対応する部品と同様であり、一般的に言って同じ目的を果たす。第一のハウジング部品６１及び第二のハウジング部品６２を含むこのサブアセンブリは、次に第三のハウジング部品９１に取り付けられる。第三のハウジング部品９１は、取り付け手段７０の細長いネック部７４が通り抜けできる開口９３が形成されるベース部９８を含む。第一のハウジング部品６１及び第二のハウジング部品６２を含むサブアセンブリを取り囲むための上向きに伸びるスカート部９９はベース部９８から従属的に形成される。このスカート部は、第一及び第二の磁気結合面の側方の移動を防止するための保護手段として役立つことが分かるだろう。内向きに伸びるフランジ９９１がスカート部９９の上端に形成される。
【００３９】
この第二のファスナ部品２０を組み立てる際、タブレット形永久磁石５１は、面３４に隣接するタブレット形永久磁石５０の磁極面（例えば、Ｓ極）と補完的な永久磁石５１の磁極面（例えば、この例においてＮ極）が磁力によって引き合うために第二の磁気結合面６４に隣接して配置されるように、容器６５内に配置される。
【００４０】
同様に、取り付け手段７０のステム部７１は細長いネック部７４及びショルダ部７３を含む。ネック部７４は第一のハウジング部品６１の開口６３を通り抜けられる寸法であるのに対して、ショルダ部７３は開口６３によってブロックされる。第一のハウジング部品６１と第二のハウジング部品６２を組み合わせる前に、タブレット形永久磁石５１を第二の磁気結合面６４とショルダ部７３との間に保持するように取り付け手段７０のステム部７１を開口６３から通しておくことが分かるだろう。第一のハウジング部品６１、第二のハウジング部品６２、ステム部７１及びタブレット形永久磁石５１を含むセミ・サブアセンブリを、次に、ネック部７４を開口６３及び９３から突き出させた状態で第三のハウジング部品９１のベース部９８に取り付ける。このセミ・サブアセンブリを、第二の磁気結合面６４をスカート部９９によって形成される開口に向けて、第三のハウジング部品９１に取り付ける。
【００４１】
第一のハウジング部品６１及び第二のハウジング部品６２も、クロムまたはニッケルめっきのステンレス鋼など磁性材料で作られる。透磁性ハウジングの場合、磁束は対応するファスナ１０と磁気結合するために面６４を透過することができる。さらに、円周リム６９に沿って現れる永久磁石５１の裏極面すなわち第二の磁気結合面６４に接しない極面から発する磁束は、第一のハウジング部品６１が実質的に磁気ベースンを形成するので、その方向を調整されて第一のハウジング部品６１に集中し、それによって、磁場の強さを増強し、２つのファスナ部品１０、２０の間の磁気結合を強化する。さらに、円周の内向きに伸びるフランジ９９１は第二の磁気結合面より高く、第一と第二のファスナ部品が結合されるときの保護手段を形成するために第一のファスナ部品１０の円周フランジ３９１を取り囲むのに充分な高さであることが分かるだろう。
【００４２】
次にファスナ１の動作について検討するために再び図１を参照すると、タブレット形永久磁石５０及び５１は、相反する極性の磁極面が相当する第一及び第二の磁気結合面３４及び６４に隣接するように配置されるので、組合せ磁気ファスナ部品１０および２０は、第一の磁気結合面３４と第二の磁気結合面６４との間の相反する磁極によって引き付けられる。さらに、付加的な補完的磁場がそれぞれ実質的に相応する形状の円周フランジ３９１及び円周リム６９に沿って集束されるので、対の組合せファスナ部品は、付加的な結合力で、２つの対の組合せファスナ部品を整合するために余分な力を必要とせず実質的に自動的な整合によって結合される。
【００４３】
特に、ファスナ部品１０及び２０が相互に近接するとき、永久磁石５０及び５１は、組合せファスナ部品１０、２０のネック部の縦方向にほぼ平行の磁気結合軸方向Ｙ-Ｙ’に沿って相互に引き付けあう。さらに、例えばジーンズまたはその他の衣服に使用される場合のように、特に図１に示される通り、対の組合せ磁気ファスナ１０、２０がＸ-Ｘ’に沿って側方のせん断力または引き外し力を受けるとき、側方張力は、第一の磁気結合面３４及び第二の磁気結合面６４に沿ってファスナ部品の相対的移動を生じて、円周フランジ３９１が移動して円周フランジ９９１とハウジング部品９１のベース部９８の中間に配置される。このような場合、円周フランジ９９１及び３９１が協力して円周フランジ３９１の縦方向の外れの動きに抵抗するための捕捉手段を形成して側方の張力を受けたとき軸方向に沿った外れに対してさらなる抵抗となるので、対の磁気ファスナは、Ｙ-Ｙ’に沿った軸方向または縦方向の引き外し力に抵抗する。
【００４４】
次に、本発明の磁気ファスナ２の第二の望ましい実施態様を示す図２、２Ａ、２Ａ-１から２Ａ-８まで及び２Ｂ-１から２Ｂ-８までを参照すると、磁気ファスナ２は、第一のファスナ部品２１０及び第二のファスナ部品２２０を含む。第一のファスナ部品２１０は、主ハウジング２３０及び取り付け手段２４０を含む。主ハウジング２３０は、永久磁石２５０を受け入れるために組み合わされる第一のハウジング部品２３１及び第二のハウジング部品２３２を含む。第一及び第二のハウジング部品２３１、２３２は、それぞれ実質的に第一の望ましい実施態様の相応する部品すなわちハウジング部品３１及び３２と同じである。
【００４５】
取り付け手段２４０は、ステム部２４１及びベース部２４３を含む。ステム部２４１は、ベース部２４３が主ハウジング内に保持されかつステム部２４１の細長いアーム２４４が主ハウジング２３０の第一のハウジング部品２３１上面に形成される相応する形状の開口２３３から突き出る状態で主ハウジング２３０によって保持されるように、１対の上向きに伸びるアーム２４４を含む。
【００４６】
第二の磁気ファスナ部品２２０を示す図２Ｂ-１から２Ｂ-８までを参照すると、ファスナ部品２２０は、主ハウジング２６０、取り付け手段２７０及びタブレット形永久磁石２５１を含む。取り付け手段２７０は、一般的に言ってそれぞれ第一のファスナ部品２１０のベース部２４３及びステム部２４４と同じであり同様の目的を果たすステム部２７４及びベース部２７３を含む。主ハウジング２６０は第一のハウジング部品２６１、第二のハウジング部品２６２及び第三のハウジング部品２９１を含み、第一の望ましい実施態様の主ハウジング６０と実質的に同じである。
【００４７】
上記の望ましい実施態様から、磁気ファスナが第一の取り外し可能ファスナ部材（１０、２１０）及び第二の取り外し可能ファスナ部材（２０、２２０）を含むことが分かるだろう。第一及び第二の取り外し可能ファスナ部材は、それぞれ、磁気結合軸方向Ｙ-Ｙ’に沿って相互に引き付けられる第一の磁気結合面（３４、２３４）及び第二の磁気結合面（６４、２６４）を含む。さらに、磁気ファスナは、第一のファスナ部材と第二のファスナ部材が磁気結合されるとき第一の磁気結合面と第二の磁気結合面との間の相対的な側方の動きに抵抗するのに適する保護手段（９９、２９９）を含む。さらに、第一及び第二のファスナ部材は、第一のファスナ部材と第二のファスナ部材が磁気結合しているときに磁気結合軸方向を横切って加えられる側方の引き外し力Ｘ’を受けたとき、ほぼ磁気結合軸方向Ｙ-Ｙ’に沿った第一のファスナ部材と第二のファスナ部材の外れに抵抗するのに適する協同的捕捉手段（３９１、９９１：２９３１，２９９１）を含む。
【００４８】
この磁気ファスナの利点は、製品が複数の方向の引き外し力に抵抗する必要があるジーンズまたはその他の衣服に使用される場合、特に顕著である。例えば、対の結合されたファスナ部品がウェストラインに沿って引き外し力を受け同時にウェストの半径方向の拡張を受けるとき（これは、それぞれ側方Ｘ-Ｘ’及び磁気結合軸Ｙ-Ｙ’に沿った同時的張力に類似する）である。さらに、第一及び第二のファスナ部品を製品または製品の一部に取り付けるための取り付け手段が実質的に磁気結合面の相反する側に配置されることが分かるだろう。
【００４９】
図３、３Ａ-１から３Ａ-２まで及び３Ｂ-１から３Ｂ-２までを参照すると、本発明の磁気ファスナ３の第三の望ましい実施態様が示されている。磁気ファスナ３は、実質的に同一である第一のファスナ部品３１０及び第二のファスナ部品３２０を含んでいる。第一のファフナ部品３１０及び第二のファスナ部品３２０は、各々、主ハウジング３０の第一のハウジング部品３１を除いて第一の望ましい実施態様の第一のファスナ部品１０と実質的に同じである。この望ましい実施態様の第一のハウジング部品３１０、３２０は、取り付け手段のネック部を挿入できるように開口３３３が形成されるトップ部３３８を含む。第一の望ましい実施態様の第一のハウジング部品３１と同様、円周スカートがトップ部３３８から下向きに伸び、第二のハウジング部品３３２と協同して、タブレット形永久磁石を受け入れるための容器を形成する。第一のハウジング部品３１の外向きに伸びる円周フランジ３９１と異なり、スカート部３３９の下端にはスカート３３９の深さを越えて下向きに伸びる捕捉手段３３９１が形成される。この捕捉手段３３９１は、第一のファスナ部品３１０と第二のファスナ部品が結合され、歯が実質的に直径方向に対角に配置されるとき歯全体が第一及び第二の磁気結合面に沿った２つのファスナ部品の側方の移動に抵抗するように、食違い歯の形を取る。スカート３３９の自由下端が磁気結合軸方向を軸として非対称であることが分かるだろう。第一及び第二のファスナ部品の第一のハウジング部品３３１及び３６１は磁性材料で作られるのに対して、第二のハウジング部品３３２は銅、真鍮またはその他の非磁性材料で作られる。
【００５０】
図４及び４Ａを参照すると、本発明の磁気ファスナ４の第四の望ましい実施態様が示されている。磁気ファスナ４は、実質的に同一の第一及び第二のファスナ部品４１０及び４２０を含む。これまでの実施態様と同様、ファスナ部品４１０、４２０は、各々、タブレット形永久磁石、主ハウジング及び取り付け手段を含む。この望ましい実施態様の主ハウジングは、第三の望ましい実施態様の主ハウジングと実質的に同じであるのに対して、取り付け手段は、第二の望ましい実施態様の取り付け手段２７１と実質的に同じである。
【００５１】
本発明の第五の望ましい実施態様及びその変形を示す図５及び５Ａを参照すると、磁気ファスナ５は、第一のファスナ部品５１０及び第二のファスナ部品５２０を含む。第一のファスナ部品５１０は、外向きに伸びるフランジ３９１がないことを除いて第一の望ましい実施態様の第一のファスナ部品１０の主ハウジング３０と実質的に同じ主ハウジングを含む。図５の形態用の取り付け手段は、図１の実施態様の取り付け手段と実質的に同じであるのに対して、図５Ａの変形の取り付け手段は、第二の望ましい実施態様と実質的に同じである。第二のファスナ部品５２０は、ハウジング部品の自由端がフランジ９９１を形成するために内向きに曲げられないことを除いて第一の望ましい実施態様の主ハウジング６０と実質的に同じ主ハウジングを含む。
【００５２】
図６及び６Ａを参照すると、本発明の磁気ファスナ６の第六の望ましい実施態様及びその変形が示されている。磁気ファスナ６は、第一のファスナ部品６１０及び第二のファスナ部品６２０を含む。ファスナ部品６１０及び６２０は、各々、主ハウジング及び取り付け手段を含む。取り付け手段は、図５及び図５Ａの手段と同じでよい。主ハウジングは、第三のハウジング部品９１が存在しないことを除いて第一の望ましい実施態様の第二のファスナ部品２０の主ハウジングと実質的に同じである。
【００５３】
図７、７Ａ及び７Ａ-１から７Ａ-２までは、本発明の第七の望ましい実施態様及びその変形を示している。他の望ましい実施態様と同様、磁気ファスナ７は、第一及び第二のファスナ部品を含み、ファスナ部品は、各々、主ハウジング７３０及び取り付け手段７４０を含む。主ハウジング７３０は、第一のハウジング部品７３１及び第二のハウジング部品７３２を含み、これらは一緒に、永久磁石を受け入れるための容器を形成する。第一のハウジング部品７３１は、磁気結合面７３４のすぐ隣の永久磁石の極面の磁束が磁力のためにこの面を通過できるように透磁性表面７３４を含む。第二のハウジング部品７３２は、永久磁石の裏極面すなわち結合面７３４に隣接しない極面から発する磁場の方向を調整し第二のハウジング７３２の円周壁の自由端に沿って集中して、磁力の強さを増強できるように、磁性材料で作られる円周壁を含む。取り付け手段は、ファスナ部品７１０、７２０を製品の相当する部分に縫い付けられるように、中空フレームを有する複数の耳形部材を含む。図７Ｂ及び７Ｂ-１から７Ｂ-２までに示される変形は、取り付け手段７４０１が主ハウジングの裏面に形成されることを除いて、図７と実質的に同じである。
【００５４】
図８及び８Ａ-１から８Ａ-１１までを参照すると、本発明の第八の望ましい実施態様及びその変形が示されている。磁気ファスナ８は、第一及び第二のファスナ部品８１０及び８２０を含む。ファスナ部品のうち一方は主ハウジング、リング形磁石及び取り付け手段を含む。第一のファスナ部品の主ハウジングは、第一のハウジング部品８３１及び第二のハウジング部品８３２を含み、これらは一緒に協同して、磁石８５０を受け入れるための容器を形成する。第一のハウジング部品８３１はリング形磁石の輪郭及び形状と実質的に一致する窪みを備える。第一のハウジング部品８３１、リング形磁石８５０及び第二のハウジング部品８５２を含むサブアセンブリは、例えばリベット留めによって一緒に接続される。タブレット形永久磁石８５０から発する磁束が磁気結合面８５１を通過することができ、同時にタブレット形永久磁石８５０の裏極面からの磁束の方向を調整してリベットの端に集中して磁束結合を強化することができるように、第一のハウジング部品、第二のハウジング部品及びリベット８４０は、磁性材料で作られることが望ましい。複数のソーイング・ホール８７０が第二のハウジング部品の周囲に形成される。第二のファスナ部品８２０は、磁性材料の主ハウジング８６１を含む。図８Ａ-１０に示される通り、製品への取り付けをより確実にかつ信頼できるものにするために、主ハウジング部品８６１の裏面に付加的なソーイング・ホール８８０を形成することができる。
【００５５】
図９、９Ａ-９Ｃ、９Ａ-１から９Ａ-８まで及び９Ｂ-１から９Ｂ-４までを参照すると、磁気ファスナ９の第九の望ましい実施態様及びその変形が示されている。磁気ファスナ９は第一のファスナ部品９１０及び第二のファスナ部品９２０を含む。第一のファスナ部品９１０は、主ハウジング、ファスナ構造及びリング形磁石板を含む。主ハウジングは、第一のハウジング部品９３１及び第二のハウジング部品９３２を含み、これらは組み合わされて、リング形磁石を受け入れるための容器を形成する。第一のハウジング部品９３１は、プラスティック、ＡＢＳ、ＰＶＣまたはゴムなど透磁性物質で作られ、リング形磁石またはリング形磁気サブアセンブリの形状に合致するように成形される。第一のハウジング部品９３１及び第二のハウジング部品９３２は、リング形磁石と一緒に、磁気ファスナのサブアセンブリを形成する。ファスナ部品を防水及び防錆にするために、リング形裏蓋９４１、９７２を第一のハウジング部品９３１、９６１に取り付けることができる。裏蓋は一緒に溶融、はんだ付けまたはペースト化できるように第一のハウジング部品９３１と相溶性のある材料で作られることが望ましい。
【００５６】
第二のハウジング部品は、永久磁石板９５０から発する磁束が磁気結合面を通過することができ、同時に永久磁石の他方の面から発する磁束の方向を調整して磁気結合面に生じさせることができるように、磁性材料で作られる。従来の方法で可撓性の面に取り付けるために第一のハウジング部品に複数のソーイング・ホールが形成される。第一のファスナ部品９１０の第一のハウジング部品は、突出部９３９を含むのに対して、第二のファスナ部品９２０の第一のハウジング部品９６１は、対応する部品が協同的な受け入れメカニズムを形成して磁気結合面が相対的に滑動するのを防止するように突起９９９を含む。第二のファスナ部品の第一のハウジング部品９６１及び第二のハウジング部品９６２は一般的に言って第一のファスナ部品の相当する部品と同じである。さらに、第一のファスナ部品の主ハウジング９３１及び裏蓋９４２は、ファスナ部品の安定性及び該当の表面へのファスナ部品の取り付け可能性を強化するために複数のソーイング・ホールを備える。
【００５７】
図１０、１０Ａ-１から１０Ａ-７まで、１０Ｂ-１から１０Ｂ-２まで、１０Ｃ及び１０Ｄを参照すると、磁気ファスナ１０の第十の望ましい実施態様及びその変形が示されている。磁気ファスナ１０は、第一のファスナ部品１０１０及び第二のファスナ部品１０２０を含む。第一のファスナ部品１０１０は、主ハウジング１０３１、ファスナ部品１０４２及びリング形永久磁石１０５０を含む。主ハウジングは、第一のハウジング部品１０３１及び第二のハウジング部品１０４２を含み、これらは組み合わされて、リング形磁石を受け入れるための磁気容器を形成する。第一のハウジング部品１０３１は、銅、ステンレス鋼、プラスティック、ＡＢＳ、ＰＶＣまたはゴムなど透磁性材料で作られ、リング形磁石１０５０またはリング形磁気アセンブリの形状に合致するコンパートメントを持つよう成形される。第一のハウジング部品１０３１、第二のハウジング部品１０４２及びリング形磁石１０５０は、組み合わされて、磁気ファスナの磁気サブアセンブリを形成する。第一のハウジング部品１０３１は、リング形裏蓋を備え、ファスナが事実上防水及び防錆であるように密閉部材で密閉される。裏蓋は、複数の直立フィンガ１０３７によって第一のハウジング部品１０３１に固定することができる。裏蓋１０４２は、一緒に溶融、はんだ付けまたは溶接することができるように第一のハウジング部品１０３１の材料と相溶性のある材料で作られることが望ましい。
【００５８】
第二のファスナ部品１０２０のハウジング部品１０６１の磁気結合面は、永久磁石板１０５０の一面から発する磁束が磁気結合面を通過できるように透磁性材料で作られ、同時に、ハウジング部品は、永久磁石の他方の裏面１０６２から発する磁束を裏蓋によって磁気結合面に向かわせて磁気結合の強さを強化するようにベースン形（basin shaped）の主ハウジング部品１０６１を含む。同様に、裏蓋１０６２を複数の直立フィンガ１０６７によって主ハウジング部品に固定することができる。複数のソーイング・ホール１０４４が第一のハウジング部品に含まれる。
【００５９】
第一のファスナ部品１０１０は突出部１０３９を含むのに対して、第二のファスナ部品１０２２は相応する形状の凹み部分１０９９を含むので、結合面間の相対的な滑動を軽減する協同的な結合メカニズムを形成する。第一のファスナ部品１０１０及び第二のファスナ部品１０２０は、協同的な結合メカニズムを構成する部分（すなわち、１０３９と１０９９）を除いて、一般的に言って同じである。複数のソーイング・ホール１０４４を備える裏板１０４２は、第一のファスナ部品の一部を形成して、衣服などの可撓性の面におけるファスナ部品の取り付け可能性及び安定性を改良することができる。図１０Ｃ及び１０Ｄは、構造全体を単純化するために第二のファスナ部品が磁性材料１０４２の単純なベースン形に作られる、上記の望ましい実施態様の変形を示している。図１０Ｄに示される通り、第二のファスナ部品は、さらに構造全体を単純化するために磁気特性を有する磁性ベースン１０４２と置き換えることができる。
【００６０】
本発明について上述の望ましい実施態様を参照して説明したが、これらの実施態様は本発明の理解を助けるために例としてのみ示されており、その範囲を限定するものでないことが分かるだろう。例えば、第一のファスナ部品と第二のファスナ部品との間の協同的捕捉手段は、第三のハウジング部品と接続される磁気結合面より軸方向に上のレベルに狭窄部を含めるために、第三のハウジング部品（または保護手段）すなわち部品９１及び２９１を持つことによって形成することができる。この狭窄部は、対応する磁気結合面が軸方向に沿って第三のハウジング部品の狭窄開口を通り抜けられ、同時に側方の張力を受けるとき狭窄開口が組合せタブレット形磁石の相互の磁気軸に対してほぼ平行の方向に沿った対応する磁気結合面の通過に抵抗するのに適する。特に、本発明の範囲、境界及び精神は、上述の実施態様によって推論されるまたは例証される本発明の一般原理を含むものとする。より特定して言うと、当業者にとって自明のまたは当然の変形または修正、並びに本発明の原理に加えられる改良は、本発明の範囲及び境界内に含まれるものと見なされるべきである。
【００６１】
さらに、本発明はファスナ部品の各々にタブレット形磁石を持つ磁気ファスナを参照して説明されているが、本発明は、修正またはその他の変更を加えるか否かに関係なく、一般性を失うことなく、対のファスナに１つだけタブレット形磁石を含むものを含めて他の変形に応用できることが分かるはずである。
【図面の簡単な説明】
【００６２】
【図１】取り付け手段が分離された状態で示される、本発明の第一の望ましい実施態様の１対の組合せ磁気ファスナの縦断面図である。
【図１Ａ】それぞれ、組合せ磁気ファスナの第一のファスナ部品の断面図及び底面図を示している。
【図１Ａ−０】それぞれ、組合せ磁気ファスナの第一のファスナ部品の断面図及び底面図を示している。
【図１Ａ−１】構成要素の様々な対応する図を示している。
【図１Ａ−２】構成要素の様々な対応する図を示している。
【図１Ａ−３】構成要素の様々な対応する図を示している。
【図１Ａ−４】構成要素の様々な対応する図を示している。
【図１Ａ−５】構成要素の様々な対応する図を示している。
【図１Ａ−６】構成要素の様々な対応する図を示している。
【図１Ａ−７】構成要素の様々な対応する図を示している。
【図１Ｂ】それぞれ、組合せ磁気ファスナの第二のファスナ部品の断面図及び底面図を示している。
【図１Ｂ−０】それぞれ、組合せ磁気ファスナの第二のファスナ部品の断面図及び底面図を示している。
【図１Ｂ−１】構成要素の様々な対応する図を示している。
【図１Ｂ−２】構成要素の様々な対応する図を示している。
【図１Ｂ−３】構成要素の様々な対応する図を示している。
【図１Ｂ−４】構成要素の様々な対応する図を示している。
【図１Ｂ−５】構成要素の様々な対応する図を示している。
【図１Ｂ−６】構成要素の様々な対応する図を示している。
【図１Ｂ−７】構成要素の様々な対応する図を示している。
【図１Ｂ−８】構成要素の様々な対応する図を示している。
【図１Ｃ】対のファスナに特徴的な磁気軸に対して非平行または非直交の引き外し力を受けるときの図１の組合せ磁気ファスナを示している。
【図２】本発明の１対の組合せ磁気ファスナの第二の望ましい実施態様の縦断面図を示している。
【図２Ａ】図２の第一のファスナ部品２１０の縦断面図を示している。
【図２Ａ−１】図２の実施態様の組合せ磁気ファスナの構成要素の様々な対応する図を示している。
【図２Ａ−２】図２の実施態様の組合せ磁気ファスナの構成要素の様々な対応する図を示している。
【図２Ａ−３】図２の実施態様の組合せ磁気ファスナの構成要素の様々な対応する図を示している。
【図２Ａ−４】図２の実施態様の組合せ磁気ファスナの構成要素の様々な対応する図を示している。
【図２Ａ−５】図２の実施態様の組合せ磁気ファスナの構成要素の様々な対応する図を示している。
【図２Ａ−６】図２の実施態様の組合せ磁気ファスナの構成要素の様々な対応する図を示している。
【図２Ａ−７】図２の実施態様の組合せ磁気ファスナの構成要素の様々な対応する図を示している。
【図２Ａ−８】図２の実施態様の組合せ磁気ファスナの構成要素の様々な対応する図を示している。
【図２Ｂ−１】図２の実施態様の組合せ磁気ファスナの構成要素の様々な対応する図を示している。
【図２Ｂ−２】図２の実施態様の組合せ磁気ファスナの構成要素の様々な対応する図を示している。
【図２Ｂ−３】図２の実施態様の組合せ磁気ファスナの構成要素の様々な対応する図を示している。
【図２Ｂ−４】図２の実施態様の組合せ磁気ファスナの構成要素の様々な対応する図を示している。
【図２Ｂ−５】図２の実施態様の組合せ磁気ファスナの構成要素の様々な対応する図を示している。
【図２Ｂ−６】図２の実施態様の組合せ磁気ファスナの構成要素の様々な対応する図を示している。
【図２Ｂ−７】図２の実施態様の組合せ磁気ファスナの構成要素の様々な対応する図を示している。
【図２Ｂ−８】図２の実施態様の組合せ磁気ファスナの構成要素の様々な対応する図を示している。
【図３】本発明の第三の望ましい実施態様の１対の組合せ磁気ファスナの縦断面図を示している。
【図３Ａ】図３の組合せ磁気ファスナのうち一方の縦断面図を示している。
【図３Ａ−１】それぞれ部品３３１及び３６１の底面図及び断面図を示している。
【図３Ａ−２】それぞれ部品３３１及び３６１の底面図及び断面図を示している。
【図３Ｂ−１】それぞれ図３の実施態様に使用することができる第一及び第二のハウジング部品３３１及び３６１の修正形態の断面図及び平面図を示している。
【図３Ｂ−２】それぞれ図３の実施態様に使用することができる第一及び第二のハウジング部品３３１及び３６１の修正形態の断面図及び平面図を示している。
【図４】取り付け手段が分離された状態で示される、本発明の第四の望ましい実施態様の１対の組合せ磁気ファスナの縦断面図である。
【図４Ａ】図４の組合せ磁気ファスナのうち一方の縦断面図を示している。
【図５】本発明の第五の望ましい実施態様及びその変形を示している。
【図５Ａ】本発明の第五の望ましい実施態様及びその変形を示している。
【図６】本発明の第六の望ましい実施態様及びその変形を示している。
【図６Ａ】本発明の第六の望ましい実施態様及びその変形を示している。
【図７】本発明の第七の望ましい実施態様を示し、図７Ｂはその変形を示している。
【図７Ａ】本発明の第七の望ましい実施態様を示し、図７Ｂはその変形を示している。
【図７Ａ−１】図７Ａの構成要素のハウジングの断面図を示している。
【図７Ａ−２】図７Ａの構成要素のハウジングの断面図を示している。
【図７Ｂ−１】それぞれ図７Ｂの構成ファスナのハウジングの上面図及び断面図を示している。
【図７Ｂ−２】それぞれ図７Ｂの構成ファスナのハウジングの上面図及び断面図を示している。
【図８】本発明の第八の望ましい実施態様を示し、図８Ａ-１から８Ａ-１１まではその構成部品の様々な図を示している。
【図９】本発明の第九の望ましい実施態様の１対の磁気ファスナの断面図、及びファスナ部品の対応する断面図及びその分解図を示している。
【図９Ａ】本発明の第九の望ましい実施態様の１対の磁気ファスナの断面図、及びファスナ部品の対応する断面図及びその分解図を示している。
【図９Ｂ】本発明の第九の望ましい実施態様の１対の磁気ファスナの断面図、及びファスナ部品の対応する断面図及びその分解図を示している。
【図９Ｃ】本発明の第九の望ましい実施態様の１対の磁気ファスナの断面図、及びファスナ部品の対応する断面図及びその分解図を示している。
【図９Ａ−１】構成部品の様々な図を示している。
【図９Ａ−２】構成部品の様々な図を示している。
【図９Ａ−３】構成部品の様々な図を示している。
【図９Ａ−４】構成部品の様々な図を示している。
【図９Ａ−５】構成部品の様々な図を示している。
【図９Ａ−６】構成部品の様々な図を示している。
【図９Ａ−７】構成部品の様々な図を示している。
【図９Ａ−８】構成部品の様々な図を示している。
【図９Ｂ−１】構成部品の様々な図を示している。
【図９Ｂ−２】構成部品の様々な図を示している。
【図９Ｂ−３】構成部品の様々な図を示している。
【図９Ｂ−４】構成部品の様々な図を示している。
【図１０】本発明の第十の望ましい実施態様の１対の磁気ファスナの断面図を示している。
【図１０Ａ−１】構成部品の様々な対応する図を示している。
【図１０Ａ−２】構成部品の様々な対応する図を示している。
【図１０Ａ−３】構成部品の様々な対応する図を示している。
【図１０Ａ−４】構成部品の様々な対応する図を示している。
【図１０Ａ−５】構成部品の様々な対応する図を示している。
【図１０Ａ−６】構成部品の様々な対応する図を示している。
【図１０Ａ−７】構成部品の様々な対応する図を示している。
【図１０Ｂ−１】構成部品の様々な対応する図を示している。
【図１０Ｂ−２】構成部品の様々な対応する図を示している。
【図１０Ｃ】その多少の変形を示している。
【図１０Ｄ】その多少の変形を示している。
【図１】
2006516916.tif 000003
2006516916.tif 000004
2006516916.tif 000005
2006516916.tif 000006
2006516916.tif 000007
【図２】
2006516916.tif 000008
2006516916.tif 000009
2006516916.tif 000010
【図３】
2006516916.tif 000011
2006516916.tif 000012
【図４】
2006516916.tif 000013
【図５】
2006516916.tif 000014
【図６】
2006516916.tif 000015
【図７】
2006516916.tif 000016
【図８】
2006516916.tif 000017
【図９】
2006516916.tif 000018
2006516916.tif 000019
2006516916.tif 000020
【図１０】
2006516916.tif 000021
2006516916.tif 000022
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
第一の取外し可能ファスナ部材及び第二の取外し可能ファスナ部材を含む磁気ファスナにおいて、前記第一及び前記第二の取外し可能ファスナ部材は、それぞれ磁気結合軸方向に沿って磁力によって相互に引き付けられる第一及び第二の磁気結合面を含んでおり、前記磁気ファスナは、前記第一のファスナ部材と前記第二のファスナ部材とが磁気で結合されているとき前記第一の磁気結合面と前記第二の磁気結合面との間の相対的な側方移動に抵抗するようになっている保護手段を含み、前記第一及び第二のファスナ部材は、前記第一及び第二のファスナ部材が磁気で結合されていて前記磁気結合軸方向を横切って加えられる側方の張力を受けるときに、前記第一及び第二のファスナ部材がほぼ前記磁気結合軸方向に沿って外れるのに抵抗するようになっている協働的捕捉手段を含んでいることを特徴とする磁気ファスナ。
【請求項２】
前記保護手段は、前記第一の取外し可能部材と前記第二の取外し可能部材とが磁気で結合されて前記第一の磁気結合面と前記第二の磁気結合面が隣接して接触しているときに、前記第一及び前記第二の磁気結合面を取囲む周囲手段を含んでいることを特徴とする請求項１に記載の磁気ファスナ。
【請求項３】
前記保護手段は、前記第一のファスナ部材と前記第二のファスナ部材とが磁気で結合して隣接して接触しているときに、前記磁気結合方向に沿って概ね延びており且つ前記第一及び前記第二の磁気結合面をほぼ取囲む周壁を含んでいることを特徴とする請求項１に記載の磁気ファスナ。
【請求項４】
前記周壁は、前記取外し可能ファスナ部材のうちの一方の一部として含まれており、前記周壁は前記取外し可能ファスナ部材のうちの一方の前記磁気結合面よりも高くされた狭窄部を含んでおり、前記狭窄部は対応する取外し可能ファスナ部材の磁気結合面を前記磁気結合方向に沿って通過させられるようになっており、前記周壁の前記高い狭窄部は、前記対応する取外し可能ファスナ部材の前記磁気結合面が側方に加えられる張力を受けながら前記磁気結合方向に沿って磁気結合作用から外されるときに、前記対応する取外し可能ファスナ部材の前記磁気結合面が通過するのに概ね抵抗することを特徴とする請求項３に記載の磁気ファスナ。
【請求項５】
前記第一及び第二の取外し可能ファスナ部材は、それぞれ、第一及び第二の永久磁石を含んでおり、前記第一及び第二の永久磁石が、それぞれ相反する磁極を有する前記第一及び第二の磁気結合面を含み、前記第一及び前記第二の永久磁石が各々非磁性のハウジングに受け入れられていることを特徴とする請求項４に記載の磁気ファスナ。
【請求項６】
前記第二の永久磁石が受け入れられている前記非磁性のハウジングはフレア状ベース部を含んでおり、前記フレア状ベース部は、前記磁気ファスナが側方に加えられる張力を受けるとき、前記第一の取外し可能ファスナ部材と前記第二の取外し可能ファスナ部材との間の長手方向の外れに抵抗するようになっていることを特徴とする請求項５に記載の磁気ファスナ。
【請求項７】
前記周壁は前記取外し可能ファスナ部材のうちの一方に含まれており、前記周壁は内向きに延びているフランジ手段を該周壁の内部に含んでおり、他方の対応する取外し可能ファスナ部材は外向きに延びているフランジ手段を含んでいることを特徴とする請求項３に記載の磁気ファスナ。
【請求項８】
前記内向きに延びているフランジ手段及び外向きに延びているフランジ手段のうちのいずれかまたはその両方は、概ね周方向に延びているフランジ部を含んでいることを特徴とする請求項７に記載の磁気ファスナ。
【請求項９】
前記第一の取外し可能ファスナ部材は第一の永久磁石を含み、前記第一の磁気結合面は前記第一の永久磁石に形成され、前記周壁は前記第一の取外し可能ファスナ部材に含まれており、前記周壁によって形成されている開口が前記第一の磁気結合面の表面積より大きいことを特徴とする請求項８に記載の磁気ファスナ。
【請求項１０】
各々の前記第一及び前記第二の取外し可能ファスナ部材は、それぞれ前記第一及び第二の磁気結合面を取囲む非磁性のハウジングを含んでいることを特徴とする請求項３に記載の磁気ファスナ。
【請求項１１】
前記第一の取外し可能ファスナ部材は第一の永久磁石を含んでおり、前記第一の永久磁石の磁気軸は前記第一の磁気結合方向にほぼ平行であり、前記周壁はほぼ前記磁気結合方向に沿って前記第一の磁気結合面から離れるように延び且つ前記第一の磁気結合面を取囲んでおり、外周リング部が前記第一の磁気結合面と前記周壁との中間に配置されていることを特徴とする請求項２に記載の磁気ファスナ。
【請求項１２】
前記周壁は前記第一の磁気結合面よりも上方の位置に狭窄開口を含んでいることを特徴とする請求項１１に記載の磁気ファスナ。
【請求項１３】
前記外周リング部は概ね非磁性であることを特徴とする請求項１１に記載の磁気ファスナ。
【請求項１４】
前記保護手段は、ほぼ前記磁気方向に沿って前記第一の磁気結合面と前記第二の磁気結合面との間の徐々に結合するのを案内する手段を含んでいることを特徴とする請求項２に記載の磁気ファスナ。
【請求項１５】
各々の前記第一及び第二のファスナ部材は、前記第一または前記第二のファスナ部材を製品または製品の一部に取付けるための取付手段を含んでおり、前記第一及び第二のファスナ部材の前記取付手段は前記磁気結合面の両側に配置されていることを特徴とする請求項１に記載の磁気ファスナ。
【請求項１６】
前記第一及び第二の取外し可能ファスナ部材は、それぞれ第一及び第二の永久磁石を含んでおり、各々の前記第一及び前記第二の永久磁石は非磁性のハウジングによって囲まれていることを特徴とする請求項１に記載の磁気ファスナ。
【請求項１７】
各々の前記永久磁石は磁性のハウジングによって囲まれており、前記非磁性のハウジングは非磁性のハウジングによって囲まれていることを特徴とする請求項１６に記載の磁気ファスナ。
【請求項１８】
前記取外し可能ファスナ部材を製品または製品の一部に取付けるための取付手段は前記非磁性のハウジングに形成され、前記第一及び前記第二の取外し可能ファスナ部材用の前記取付手段は前記磁気結合面の両側に形成されていることを特徴とする請求項１６に記載の磁気ファスナ。
【請求項１９】
第一の取外し可能ファスナ部材及び第二の取外し可能ファスナ部材を含む磁気ファスナにおいて、前記第一及び前記第二の取外し可能ファスナ部材は、それぞれ、磁気結合軸方向に沿って磁力により相互に引き付けられる第一及び第二の磁気結合面を含んでおり、前記磁気ファスナは、前記第一のファスナ部材と前記第二のファスナ部材が磁気で結合されるときに、前記第一の磁気結合面と前記第二の磁気結合面との間の相対的な側方の動きに抵抗するようになっている保護手段を含み、各々の前記第一及び第二のファスナ部材は前記第一または前記第二のファスナ部材を製品または製品の一部に取付けるための取付手段を含んでおり、前記第一及び第二のファスナ部材の前記取付手段は前記磁気結合面の両側に配置されていることを特徴とする磁気ファスナ。
【請求項２０】
前記取付手段は前記磁気結合方向に沿って配置されていることを特徴とする請求項１９に記載の磁気ファスナ。
【請求項２１】
両方の前記取付手段は前記磁気結合方向に沿って加えられる張力および前記磁気結合方向を横切る方向に加えられる張力に耐えるようになっていることを特徴とする請求項１９に記載の磁気ファスナ。
【請求項２２】
前記取付手段はステム部及びキャップ部を含んでおり、前記ステム部は、前記取外し可能ファスナ部材の前記磁気結合面から概ね離れるように長手方向に延びており、前記キャップ部は前記磁気結合方向を横切る方向に概ね延びていることを特徴とする請求項１９に記載の磁気ファスナ。
【請求項２３】
前記第一及び前記第二の取外し可能ファスナ部材は、各々の磁気結合面を取囲んでいる非磁性のハウジングを含んでおり、前記取付手段は前記非磁性のハウジングから支持されていることを特徴とする請求項１９に記載の磁気ファスナ。
【請求項２４】
前記取外し可能ファスナ部材は、前記ステム部を前記製品または製品の一部に挿入しかつ前記製品または前記製品の一部を前記キャップ部と前記非磁性のハウジングとの間に保持することによって前記製品または前記製品の一部に取付けられていることを特徴とする請求項１９に記載の磁気ファスナ。
【請求項２５】
リング形磁石またはリング形磁気アセンブリ及び前記磁石または前記磁気アセンブリが保持されているハウジングをさらに含んでおり、前記ハウジングは、前記リング形磁石またはリング形磁気アセンブリの中央開口に対応する前記ハウジングの領域に配置された複数のソーイング・ホールを含んでいることを特徴とする請求項１に記載の磁気ファスナ。
【請求項２６】
リング形磁石またはリング形磁気アセンブリ及び前記磁石または前記磁気アセンブリが保持されているハウジングを含んでいる磁気ファスナにおいて、前記ハウジングは前記リング形磁石またはリング形磁気アセンブリの中央開口に対応する前記ハウジングの領域に配置された複数のソーイング・ホールを含んでいることを特徴とする磁気ファスナ。
【手続補正２】
【補正対象書類名】明細書
【補正対象項目名】全文
【補正方法】変更
【補正の内容】
【発明の詳細な説明】
【技術分野】
【０００１】
本発明は磁気ファスナに関するものであり、より特定して言うと、相補的磁気特性を有する１対の組合せファスナを含む磁気ファスナに関するものである。さらに特定して言うと、本発明は複数の方向に加えられる引き外し力に耐えるための手段を有する磁気ファスナに関するものである。さらに明確に言うと、当然これのみに限定されるわけではないが、本発明はジーンズ及び衣料品などの衣服に使用するための磁気ファスナに関するものである。
【背景技術】
【０００２】
磁気ファスナは、長い間多くの消費財及び家庭用に広く使用されてきた。例えば、磁気ファスナは、衣料品及び衣服並びにハンドバッグ及びブリーフケースなどのアクセサリに使用されてきた。さらに、磁気ファスナは、冷蔵庫またはドアなど閉鎖のための家庭用器具にも使用されている。例えば１２００ガウス以上のタブレット形磁石など強力でコンパクトな永久磁石が低コストで入手できるようになって、磁気ファスナはさらに多く出回るようになっている。
【０００３】
磁気ファスナは、一般的に言って、磁気ファスナが提供する便利さゆえにボタンなど従来のファスナに比べて有利であると考えられる。例えば、衣料品または衣服であってこれらの対応する可撓性部分に１対の組合せ磁気ファスナが取付けられている衣料品または衣服は、簡単に開閉できる。衣料品の可撓性部分は、対の組合せ磁気ファスナが相互に接近すると相互の磁力が組合せ磁気ファスナを引き寄せて、周知のスナップ締めを行うので、簡単に閉めることができる。
【０００４】
しかし、このように閉鎖が簡単であることに対する直接的に反対の効果は、対の組合せ磁気ファスナの間において不意のまたは不測の外れが生じる危険があることであり、このことは場合によっては当惑を生じ、また場合によっては特性を失うこともありうる。さらに、従来の磁気ファスナは、一般に、単一の軸、例えば磁気結合軸に沿った軸またはこれを横切る軸に沿ってのみ引き外し力に耐えることができる。従って、組合せ磁気ファスナの開閉は、一般的に言って２つの組合せ永久磁石の間の共通磁気軸に沿って行われる。しかし、このような単純すぎる引っ張り抵抗では、一部の用途には適切ではない場合がある。従って、従来の磁気ファスナの欠点を軽減する改良磁気ファスナを提供することができれば非常に望ましいであろう。より明確に言うと、この改良磁気ファスナは、従来の磁気ファスナと同じまたは同様のレベルの便利さを提供しつつ、組合せ磁気ファスナの間の不測の望ましくない不意の外れの危険を軽減する。さらに、複数方向に沿った引き外し力に抵抗しながら、従来の磁気ファスナの便利さを提供することができる改良磁気ファスナを提供することができれば非常に望ましいだろう。
【発明の開示】
【発明が解決しようとする課題】
【０００５】
従って、従来のまたは既知の磁気ファスナに伴う欠点を軽減する改良磁気ファスナを提供することが、本発明の主要な目的である。より明確に言うと、結合された組合せ磁気ファスナの間の望ましくないまたは不測の外れの危険を軽減するための手段を備える改良磁気ファスナを提供することが、本発明の目的である。本発明のもう１つの目的は、組合せ磁気ファスナの間の結合作用を複数の方向に外す傾向のある複数方向の引き外し力に抵抗するための手段を備える改良磁気ファスナを提供することである。少なくとも、磁気ファスナの有益な選択肢を公衆に提供することが本発明の目的である。
【課題を解決するための手段】
【０００６】
本発明に従って、第一の取外し可能ファスナ部材及び第二の取外し可能ファスナ部材を含む磁気ファスナにおいて、前記第一及び前記第二の取外し可能ファスナ部材は、それぞれ磁気結合軸方向に沿って磁力によって相互に引き付けられる第一及び第二の磁気結合面を含んでおり、前記磁気ファスナは、前記第一のファスナ部材と前記第二のファスナ部材とが磁気で結合されているとき前記第一の磁気結合面と前記第二の磁気結合面との間の相対的な側方移動に抵抗するようになっている保護手段を含み、前記第一及び第二のファスナ部材は、前記第一及び第二のファスナ部材が磁気で結合されていて前記磁気結合軸方向を横切って加えられる側方の張力を受けるときに、前記第一及び第二のファスナ部材がほぼ前記磁気結合軸方向に沿って外れるのに抵抗するようになっている協働的捕捉手段を含んでいることを特徴とする磁気ファスナが提供される。
【０００７】
本発明の望ましい実施態様に従えば、第一の取外し可能ファスナ部材及び第二の取外し可能ファスナ部材を含む磁気ファスナにおいて、前記第一及び前記第二の取外し可能ファスナ部材は、それぞれ、磁気結合軸方向に沿って磁力により相互に引き付けられる第一及び第二の磁気結合面を含んでおり、前記磁気ファスナは、前記第一のファスナ部材と前記第二のファスナ部材が磁気で結合されるときに、前記第一の磁気結合面と前記第二の磁気結合面との間の相対的な側方の動きに抵抗するようになっている保護手段を含み、各々の前記第一及び第二のファスナ部材は前記第一または前記第二のファスナ部材を製品または製品の一部に取付けるための取付手段を含んでおり、前記第一及び第二のファスナ部材の前記取付手段は前記磁気結合面の両側に配置されていることを特徴とする磁気ファスナが提供される。
【０００８】
本発明の望ましい実施態様に従えば、リング形磁石またはリング形磁気アセンブリ及び前記磁石または前記磁気アセンブリが保持されているハウジングを含んでいる磁気ファスナにおいて、前記ハウジングは前記リング形磁石またはリング形磁気アセンブリの中央開口に対応する前記ハウジングの領域に配置された複数のソーイング・ホールを含んでいることを特徴とする磁気ファスナが提供される。
【０００９】
前記保護手段は、前記第一の取外し可能部材と前記第二の取外し可能部材とが磁気で結合されて前記第一の磁気結合面と前記第二の磁気結合面が隣接して接触しているときに、前記第一及び前記第二の磁気結合面を取囲む周囲手段を含んでいることが望ましい。
【００１０】
前記保護手段は、前記第一のファスナ部材と前記第二のファスナ部材とが磁気で結合して隣接して接触しているときに、前記磁気結合方向に沿って概ね延びており且つ前記第一及び前記第二の磁気結合面をほぼ取囲む周壁を含んでいることが望ましい。
【００１１】
前記周壁は、前記取外し可能ファスナ部材のうちの一方の一部として含まれており、前記周壁は前記取外し可能ファスナ部材のうちの一方の前記磁気結合面よりも高くされた狭窄部を含んでおり、前記狭窄部は対応する取外し可能ファスナ部材の磁気結合面を前記磁気結合方向に沿って通過させられるようになっており、前記周壁の前記高い狭窄部は、前記対応する取外し可能ファスナ部材の前記磁気結合面が側方に加えられる張力を受けながら前記磁気結合方向に沿って磁気結合作用から外されるときに、前記対応する取外し可能ファスナ部材の前記磁気結合面が通過するのに概ね抵抗することが望ましい。
【００１２】
前記第一及び第二の取外し可能ファスナ部材は、それぞれ、第一及び第二の永久磁石を含んでおり、前記第一及び第二の永久磁石が、それぞれ相反する磁極を有する前記第一及び第二の磁気結合面を含み、前記第一及び前記第二の永久磁石が各々非磁性のハウジングに受け入れられていることが望ましい。
【００１３】
前記第二の永久磁石が受け入れられている前記非磁性のハウジングはフレア状ベース部を含んでおり、前記フレア状ベース部は、前記磁気ファスナが側方に加えられる張力を受けるとき、前記第一の取外し可能ファスナ部材と前記第二の取外し可能ファスナ部材との間の長手方向の外れに抵抗するようになっていることが望ましい。
【００１４】
前記周壁は前記取外し可能ファスナ部材のうちの一方に含まれており、前記周壁は内向きに延びているフランジ手段を該周壁の内部に含んでおり、他方の対応する取外し可能ファスナ部材は外向きに延びているフランジ手段を含んでいることが望ましい。
【００１５】
前記内向きに延びているフランジ手段及び外向きに延びているフランジ手段のうちのいずれかまたはその両方は、概ね周方向に延びているフランジ部を含んでいることが望ましい。
【００１６】
前記第一の取外し可能ファスナ部材は第一の永久磁石を含み、前記第一の磁気結合面は前記第一の永久磁石に形成され、前記周壁は前記第一の取外し可能ファスナ部材に含まれており、前記周壁によって形成されている開口が前記第一の磁気結合面の表面積より大きいことが望ましい。
【００１７】
各々の前記第一及び前記第二の取外し可能ファスナ部材は、それぞれ前記第一及び第二の磁気結合面を取囲む非磁性のハウジングを含んでいることが望ましい。
【００１８】
前記第一の取外し可能ファスナ部材は第一の永久磁石を含んでおり、前記第一の永久磁石の磁気軸は前記第一の磁気結合方向にほぼ平行であり、前記周壁はほぼ前記磁気結合方向に沿って前記第一の磁気結合面から離れるように延び且つ前記第一の磁気結合面を取囲んでおり、外周リング部が前記第一の磁気結合面と前記周壁との中間に配置されていることが望ましい。
【００１９】
前記周壁は前記第一の磁気結合面よりも上方の位置に狭窄開口を含んでいることが望ましい。
【００２０】
前記外周リング部は概ね非磁性であることが望ましい。
【００２１】
前記保護手段は、ほぼ前記磁気方向に沿って前記第一の磁気結合面と前記第二の磁気結合面との間の徐々に結合するのを案内する手段を含んでいることが望ましい。
【００２２】
各々の前記第一及び第二のファスナ部材は、前記第一または前記第二のファスナ部材を製品または製品の一部に取付けるための取付手段を含んでおり、前記第一及び第二のファスナ部材の前記取付手段は前記磁気結合面の両側に配置されていることが望ましい。
【００２３】
前記第一及び第二の取外し可能ファスナ部材は、それぞれ第一及び第二の永久磁石を含んでおり、各々の前記第一及び前記第二の永久磁石は非磁性のハウジングによって囲まれていることが望ましい。
【００２４】
各々の前記永久磁石は磁性のハウジングによって囲まれており、前記非磁性のハウジングは非磁性のハウジングによって囲まれていることが望ましい。
【００２５】
前記取外し可能ファスナ部材を製品または製品の一部に取付けるための取付手段は前記非磁性のハウジングに形成され、前記第一及び前記第二の取外し可能ファスナ部材用の前記取付手段は前記磁気結合面の両側に形成されていることが望ましい。
【００２６】
前記取付手段は前記磁気結合方向に沿って配置されていることが望ましい。
【００２７】
両方の前記取付手段は前記磁気結合方向に沿って加えられる張力および前記磁気結合方向を横切る方向に加えられる張力に耐えるようになっていることが望ましい。
【００２８】
前記取付手段はステム部及びキャップ部を含んでおり、前記ステム部は、前記取外し可能ファスナ部材の前記磁気結合面から概ね離れるように長手方向に延びており、前記キャップ部は前記磁気結合方向を横切る方向に概ね延びていることが望ましい。
【００２９】
前記第一及び前記第二の取外し可能ファスナ部材は、各々の磁気結合面を取囲んでいる非磁性のハウジングを含んでおり、前記取付手段は前記非磁性のハウジングから支持されていることが望ましい。
【００３０】
前記取外し可能ファスナ部材は、前記ステム部を前記製品または製品の一部に挿入しかつ前記製品または前記製品の一部を前記キャップ部と前記非磁性のハウジングとの間に保持することによって前記製品または前記製品の一部に取付けられていることが望ましい。
【００３１】
リング形磁石またはリング形磁気アセンブリ及び前記磁石または前記磁気アセンブリが保持されているハウジングをさらに含んでおり、前記ハウジングは、前記リング形磁石またはリング形磁気アセンブリの中央開口に対応する前記ハウジングの領域に配置された複数のソーイング・ホールを含んでいることが望ましい。
【００３２】
本発明の磁気ファスナの望ましい実施態様については、例として、添付図面を参照して下にさらに詳細に説明する。
【発明を実施するための最良の形態】
【００３３】
まず図１、図１Ａ-０から図１Ａ-７まで、図１Ｂ-０から図１Ｂ-８まで及び図１Ｃを参照すると、本発明の磁気ファスナ１の第一の望ましい実施態様が示されている。磁気ファスナ１は、第一のファスナ部品１０及び第二のファスナ部品２０を含む。第一のファスナ部品１０は主ハウジング３０及び取付手段４０を含む。主ハウジング３０は、永久磁石５０を受け入れるために組み合わされる第一及び第二のハウジング部品３１、３２を含む。取付手段４０はステム部４１及びキャップ部４２を含む。ステム部４１には、拡大下端４３が設けられており、それにより、拡大下端４３が主ハウジング内に維持されると共にステム部４１の細長いネックが主ハウジング３０の第一のハウジング部品３１の上面に形成される対応する形状の開口３３を通って突き出す状態で、取付手段４０が主ハウジング３０によって保持されるようになる。ネック部４４からショルダ部への移行部分は例えばフレア状など緩やかでも良いし、本件の例のように急激でもよい。
【００３４】
第二のハウジング部品３２は、透磁性の第一の磁気結合面３４、及び永久磁石を受け入れるための容器３５を含む。この第二のハウジング部品は、例えば一般的に言って本質的に磁性であるクロムまたはニッケルめっきのステンレス鋼で作ることができる。第一のハウジング部品３１はトップ部３８を含み、このトップ部３８は下方に延びると共に周方向に広がるスカート３９を備えている。スカート３９の下端の円周には外向きに延びるフランジ３９１が周方向に形成されている。第二のハウジング部品に配置される複数の直立フィンガ３７によって第二のハウジング部品３２と結合するために、複数の開口３６がトップ部３８に形成される。第二のハウジング部品３２のフィンガ３７は結合面３４から延びていて、開口３６の空間的位置に対応するよう配置される。
【００３５】
第一のファスナ部品１０を組み立てるために、タブレット形永久磁石５０は、磁極面のうち１つ（例えば、S極）が透磁性の第一の磁気結合面３４に隣接するように容器３５に入れられる。まずステム部４１が第一のハウジング部品３１に組み立てられた状態で、第二のハウジング部品３２において上向きに突き出すフィンガ３７が第一のハウジング部品３１の開口３６と整合され、それにより、細長いネック部４４がトップ部３８から突き出しつつショルダ部４３が開口３３及びトップ部３８の下に保持されるようになる。永久磁石５０及びステム部４１が所定の位置に入れられたら、第一と第二のハウジング部品３１、３２が一緒に組み合わされる。このことは、例えば、第一のハウジング部品３１と第二のハウジング部品３２を一緒に圧して、その後、上向きに延びるフィンガ３７を曲げて２つのハウジング部品を一緒に締め付けることによって行われ、それにより、タブレット形永久磁石５０が容器３５内にぴったりと嵌るようになる。組み立てられると、この円周フランジ３９１の底面は、第一の磁気結合面３４とほぼ同じ高さになる。リング形永久磁石及び中央突起を有する磁性ベースを含む磁気サブアセンブリ５０ａを使用して、磁石５０を置き換えてもよい。
【００３６】
第一のファスナ部品１０の組み立てを完了するために、キャップ部４２をネック部４４の上端に接合する。望ましい適用例においては、キャップ部４２が永久磁石５０、主ハウジング３０及びステム部４１を含むサブアセンブリに固定される前に、ネック部４４は、通常は、取付けられるべき製品の表面に形成された開口またはボタンホールを通じて入れられる。あるいは、ファスナ部品が製品に保持されるようにネック部４４の拡大上端を形成するために、例えばネック部４４の上端をスタンピングすることによって変形することによって、サブアセンブリを製品にリベット留めしてもよい。
【００３７】
第一のハウジング部品３１も磁性材料例えばクロムまたはニッケルめっきのステンレス鋼で作ることができ、それにより、タブレット形の永久磁石５０の裏極面（例えば、この例においてはＮ極）から発する磁場の方向を調整して該磁場を円周フランジ３９１に沿って集中させ、対応するファスナ２０との磁気結合を強化する。当然、一般性を失うことなく、第一のハウジング部品３１及び第二のハウジング部品３２は銅または真鍮など非磁性材料で作ることができる。
【００３８】
第二の磁気ファスナ部品２０を示す図１Ｂ及び図１Ｂ-０から図１Ｂ-８までを参照すると、ファスナ部品２０は、主ハウジング６０、取付手段７０及びタブレット形永久磁石５１を含む。取付手段７０は、一般的に言ってそれぞれ第一のファスナ部品１０のキャップ部４１及びステム部４２と同様であり同様の目的を果たすステム部７１及びキャップ部７２を含む。主ハウジング６０は、第一のハウジング部品６１、第二のハウジング部品６２及び第三のハウジング部品９１を含む。第一のハウジング部品６１と第二のハウジング部品６２は、それぞれ第一のハウジング部品６１及び第二のハウジング部品６２に形成される対応する対の開口６６と突出するフィンガ６７とを通じて接続される。一般に言って、この第二の磁気ファスナ部品２０の第一のハウジング部品６１及び第二のハウジング部品６２は、第一のファスナ部品の対応する部品と同様であり、一般的に言って同じ目的を果たす。第一のハウジング部品６１及び第二のハウジング部品６２を含むこのサブアセンブリは、次に第三のハウジング部品９１に取付けられる。第三のハウジング部品９１は、取付手段７０の細長いネック部７４が通り抜けできる開口９３が形成されたベース部９８を含む。第一のハウジング部品６１及び第二のハウジング部品６２を含むサブアセンブリを取囲むための上向きに延びるスカート部９９はベース部９８と一体的に形成される。このスカート部は、第一及び第二の磁気結合面の側方の移動を阻止するための保護手段として役立つことが分かるだろう。内向きに延びるフランジ９９１がスカート部９９の上端に形成される。
【００３９】
この第二のファスナ部品２０を組み立てる際、面３４に隣接するタブレット形永久磁石５０の磁極面（例えば、Ｓ極）と相補的な永久磁石５１の磁極面（例えば、この例においてＮ極）が磁力によって引き合うために第二の磁気結合面６４に隣接して配置されるように、タブレット形永久磁石５１は容器６５内に配置される。
【００４０】
同様に、取付手段７０のステム部７１は細長いネック部７４及びショルダ部７３を含む。ネック部７４は第一のハウジング部品６１の開口６３を通り抜けられる寸法であるのに対して、ショルダ部７３は開口６３によってブロックされる。第一のハウジング部品６１と第二のハウジング部品６２を組み合わせる前に、タブレット形永久磁石５１を第二の磁気結合面６４とショルダ部７３との間に保持するように取付手段７０のステム部７１を開口６３を通じて挿入することが分かるだろう。第一のハウジング部品６１、第二のハウジング部品６２、ステム部７１及びタブレット形永久磁石５１を含むセミ・サブアセンブリを、次に、第三のハウジング部品９１のベース部９８に取付け、ネック部７４を開口６３及び９３から突き出させる。第二の磁気結合面６４をスカート部９９によって形成される開口に向けて、このセミ・サブアセンブリを第三のハウジング部品９１に取付ける。
【００４１】
第一のハウジング部品６１及び第二のハウジング部品６２も、クロムまたはニッケルめっきのステンレス鋼など磁性材料で作られる。透磁性ハウジングの場合、磁束は対応するファスナ１０と磁気結合するために面６４を透過することができる。さらに、円周リム６９に沿って現れる永久磁石５１の裏極面、すなわち第二の磁気結合面６４に接しない極面から発する磁束は、第一のハウジング部品６１が実質的に磁気のタライ（ｂａｓｉｎ）を形成するので、その方向を調整されて第一のハウジング部品６１に集中し、それによって、磁場の強さを増強し、２つのファスナ部品１０、２０の間の磁気結合を強化する。さらに、周方向に内向きに延びるフランジ９９１は第二の磁気結合面６４よりも高くされており、第一と第二のファスナ部品が結合されるときの保護手段を形成するために第一のファスナ部品１０の円周フランジ３９１を取囲むのに充分な高さであることが分かるだろう。
【００４２】
次にファスナ１の動作について検討するために再び図１を参照すると、タブレット形永久磁石５０及び５１は、相反する極性の磁極面が相当する第一及び第二の磁気結合面３４及び６４に隣接するように配置されるので、組合せ磁気ファスナ部品１０および２０は、第一の磁気結合面３４と第二の磁気結合面６４との間の相反する磁極によって引き付けられる。さらに、付加的な相補的磁場がそれぞれ実質的に対応する形状の円周フランジ３９１及び円周リム６９に沿って集束されるので、対の組合せファスナ部品は、付加的な結合力によって結合し、２つの対の組合せファスナ部品を整合するための余分な力を必要とすることなしに、概ね自動的に整列する。
【００４３】
特に、ファスナ部品１０及び２０が相互に近接するとき、永久磁石５０及び５１は、組合せファスナ部品１０、２０のネック部の長手方向にほぼ平行の磁気結合軸方向Ｙ-Ｙ'に沿って相互に引き付けあう。さらに、例えばジーンズまたはその他の衣服に使用される場合のように、特に図１に示される通り、対の組合せ磁気ファスナ１０、２０がＸ-Ｘ'に沿って側方のせん断力または引き外し力を受けるとき、側方張力によって、ファスナ部品は第一の磁気結合面３４及び第二の磁気結合面６４に沿って相対的に移動し、それにより、円周フランジ３９１が移動して円周フランジ９９１とハウジング部品９１のベース部９８との中間に配置される。このことが生じると、円周フランジ９９１及び３９１が協働して円周フランジ３９１の長手方向の外れの動きに抵抗するための捕捉手段を形成し、側方の張力を受けたとき軸方向に沿った外れに対して追加の抵抗作用を形成するので、対の磁気ファスナは、Ｙ-Ｙ'に沿った軸方向または長手方向の引き外し力に抵抗するようになる。
【００４４】
次に、本発明の磁気ファスナ２の第二の望ましい実施態様を示す図２、図２Ａ、図２Ａ-１から図２Ａ-８まで及び図２Ｂ-１から図２Ｂ-８までを参照すると、磁気ファスナ２は、第一のファスナ部品２１０及び第二のファスナ部品２２０を含む。第一のファスナ部品２１０は、主ハウジング２３０及び取付手段２４０を含む。主ハウジング２３０は、永久磁石２５０を受け入れるために組み合わされる第一のハウジング部品２３１及び第二のハウジング部品２３２を含む。第一及び第二のハウジング部品２３１、２３２は、それぞれ実質的に第一の望ましい実施態様の対応する部品すなわちハウジング部品３１及び３２と同じである。
【００４５】
取付手段２４０は、ステム部２４１及びベース部２４３を含む。ベース部２４３が主ハウジング内に保持されかつステム部２４１の細長いアーム２４４が主ハウジング２３０の第一のハウジング部品２３１上面に形成される対応した形状の開口２３３から突き出る状態で主ハウジング２３０によって取付手段２４０が保持されるように、ステム部２４１は１対の上向きに延びるアーム２４４を含む。
【００４６】
第二の磁気ファスナ部品２２０を示す図２Ｂ-１から図２Ｂ-８までを参照すると、ファスナ部品２２０は、主ハウジング２６０、取付手段２７０及びタブレット形永久磁石２５１を含む。取付手段２７０は、一般的に言ってそれぞれ第一のファスナ部品２１０のベース部２４３及びステム部２４４と同じであり同様の目的を果たすステム部２７４及びベース部２７３を含む。主ハウジング２６０は第一のハウジング部品２６１、第二のハウジング部品２６２及び第三のハウジング部品２９１を含み、第一の望ましい実施態様の主ハウジング６０と実質的に同じである。
【００４７】
上記の望ましい実施態様から、磁気ファスナが第一の取外し可能ファスナ部材（１０、２１０）及び第二の取外し可能ファスナ部材（２０、２２０）を含むことが分かるだろう。第一及び第二の取外し可能ファスナ部材は、それぞれ、磁気結合軸方向Ｙ-Ｙ'に沿って相互に引き付けられる第一の磁気結合面（３４、２３４）及び第二の磁気結合面（６４、２６４）を含む。さらに、磁気ファスナは、第一のファスナ部材と第二のファスナ部材が磁気結合されるとき第一の磁気結合面と第二の磁気結合面との間の相対的な側方の動きに抵抗するようになっている保護手段（９９、２９９）を含む。さらに、第一及び第二のファスナ部材は、第一のファスナ部材と第二のファスナ部材が磁気結合して磁気結合軸方向を横切って加えられる側方の引き外し力Ｘ'を受けたとき、ほぼ磁気結合軸方向Ｙ-Ｙ'に沿った第一のファスナ部材と第二のファスナ部材の外れに抵抗するようになっている協働的捕捉手段（３９１、９９１：２９３１，２９９１）を含む。
【００４８】
この磁気ファスナの利点は、製品が複数の方向の引き外し力に抵抗する必要があるジーンズまたはその他の衣服に使用される場合、特に顕著である。例えば、対の結合されたファスナ部品がウェストラインに沿った引き外し力とウェストの半径方向への拡張作用とを受けるときである。このことは、それぞれ側方向Ｘ-Ｘ'及び磁気結合軸Ｙ-Ｙ'に沿った同時的張力に類似する。さらに、第一及び第二のファスナ部材を製品または製品の一部に取付けるための取付手段が実質的に磁気結合面の両側に配置されることが分かるだろう。
【００４９】
図３、図３Ａ-１から図３Ａ-２まで及び図３Ｂ-１から図３Ｂ-２までを参照すると、本発明の磁気ファスナ３の第三の望ましい実施態様が示されている。磁気ファスナ３は、実質的に同一である第一のファスナ部品３１０及び第二のファスナ部品３２０を含んでいる。第一のファスナ部品３１０及び第二のファスナ部品３２０は、各々、主ハウジング３０の第一のハウジング部品３１を除いて第一の望ましい実施態様の第一のファスナ部品１０と実質的に同じである。この望ましい実施態様の第一のハウジング部品３１０、３２０は、取付手段のネック部を貫通できるように開口３３３が形成されたトップ部３３８を含む。第一の望ましい実施態様の第一のハウジング部品３１と同様、円周スカートがトップ部３３８から下向きに延びており、第二のハウジング部品３３２と協働するときに、タブレット形永久磁石を受け入れるための容器を形成する。第一のハウジング部品３１の外向きに延びる円周フランジ３９１と異なり、スカート部３３９の下端にはスカート３３９の深さを越えて下向きに延びる捕捉手段３３９１が形成される。この捕捉手段３３９１は食い違い歯の形態をなしており、第一のファスナ部品３１０と第二のファスナ部品とが結合されて、歯が実質的に直径方向に横断して配置されるときに、歯全体が第一及び第二の磁気結合面に沿った２つのファスナ部品の側方の移動に抵抗する。スカート３３９の自由下端が磁気結合軸方向回りに非対称であることが分かるだろう。第一及び第二のファスナ部品の第一のハウジング部品３３１及び３６１は磁性材料で作られるのに対して、第二のハウジング部品３３２は銅、真鍮またはその他の非磁性材料で作られる。
【００５０】
図４及び図４Ａを参照すると、本発明の磁気ファスナ４の第四の望ましい実施態様が示されている。磁気ファスナ４は、実質的に同一の第一及び第二のファスナ部品４１０及び４２０を含む。これまでの実施態様と同様、ファスナ部品４１０、４２０は、各々、タブレット形永久磁石、主ハウジング及び取付手段を含む。この望ましい実施態様の主ハウジングは、第三の望ましい実施態様の主ハウジングと実質的に同じであるのに対して、取付手段は、第二の望ましい実施態様の取付手段２７１と実質的に同じである。
【００５１】
本発明の第五の望ましい実施態様及びその変更例を示す図５及び図５Ａを参照すると、磁気ファスナ５は、第一のファスナ部品５１０及び第二のファスナ部品５２０を含む。第一のファスナ部品５１０は、外向きに延びるフランジ３９１がないことを除いて第一の望ましい実施態様の第一のファスナ部品１０の主ハウジング３０と実質的に同じ主ハウジングを含む。図５の変更例の取付手段は、図１の実施態様の取付手段と実質的に同じであるのに対して、図５Ａの変更例の取付手段は、第二の望ましい実施態様と実質的に同じである。第二のファスナ部品５２０は、ハウジング部品の自由端がフランジ９９１を形成するために内向きに曲げられないことを除いて第一の望ましい実施態様の主ハウジング６０と実質的に同じ主ハウジングを含む。
【００５２】
図６及び図６Ａを参照すると、本発明の磁気ファスナ６の第六の望ましい実施態様及びその変更例が示されている。磁気ファスナ６は、第一のファスナ部品６１０及び第二のファスナ部品６２０を含む。ファスナ部品６１０及び６２０は、各々、主ハウジング及び取付手段を含む。取付手段は、図５及び図５Ａの手段と同じでよい。主ハウジングは、第三のハウジング部品９１が存在しないことを除いて第一の望ましい実施態様の第二のファスナ部品２０の主ハウジングと実質的に同じである。
【００５３】
図７、図７Ａ及び図７Ａ-１から図７Ａ-２までは、本発明の第七の望ましい実施態様及びその変更例を示している。他の望ましい実施態様と同様、磁気ファスナ７は、第一及び第二のファスナ部品を含み、ファスナ部品は、各々、主ハウジング７３０及び取付手段７４０を含む。主ハウジング７３０は、第一のハウジング部品７３１及び第二のハウジング部品７３２を含み、これらは一緒に、永久磁石を受け入れるための容器を形成する。第一のハウジング部品７３１は透磁性表面７３４を含んでおり、それにより、磁気結合面７３４のすぐ隣の永久磁石の極面の磁束が磁気引力のためにこの面を通過できるようになる。第二のハウジング部品７３２は磁性材料で作られる円周壁を含んでおり、それにより、永久磁石の裏極面すなわち結合面７３４に隣接しない極面から発する磁場の方向を変えると共にこの磁場を第二のハウジング７３２の円周壁の自由端に沿って集中して、磁力の強さを増強できるようになる。取付手段は、ファスナ部品７１０、７２０を製品の相当する部分に縫い付けられるように、中空フレームを有する複数の耳形部材を含む。図７Ｂ及び図７Ｂ-１から図７Ｂ-２までに示される変更例は、取付手段７４０１が主ハウジングの裏面に形成されることを除いて、図７と実質的に同じである。
【００５４】
図８及び図８Ａ-１から図８Ａ-１１までを参照すると、本発明の第八の望ましい実施態様及びその変更例が示されている。磁気ファスナ８は、第一及び第二のファスナ部品８１０及び８２０を含む。ファスナ部品のうち一方は主ハウジング、リング形磁石及び取付手段を含む。第一のファスナ部品の主ハウジングは、第一のハウジング部品８３１及び第二のハウジング部品８３２を含み、これらは一緒に協働して、磁石８５０を受け入れるための容器を形成する。第二のハウジング部品８３２はリング形磁石の輪郭及び形状と実質的に一致する窪みを備える。第一のハウジング部品８３１、リング形磁石８５０及び第二のハウジング部品８３２を含むサブアセンブリは、例えばリベット留めによって一緒に接続される。タブレット形永久磁石８５０から発する磁束が磁気結合面８５１を通過することができ、同時にタブレット形永久磁石８５０の裏極面からの磁束の方向を調整してリベットの端に集中して磁束結合を強化することができるように、第一のハウジング部品、第二のハウジング部品及びリベット８４０は、磁性材料で作られることが望ましい。複数のソーイング・ホール８７０が第二のハウジング部品の周囲に形成される。第二のファスナ部品８２０は、磁性材料の主ハウジング８６１を含む。図８Ａ-１０に示される通り、製品への取付けをより確実にかつ信頼できるものにするために、主ハウジング部品８６１の裏面に付加的なソーイング・ホール８８０を形成することができる。
【００５５】
図９、図９Ａ-図９Ｃ、図９Ａ-１から図９Ａ-８まで及び図９Ｂ-１から図９Ｂ-４までを参照すると、磁気ファスナ９の第九の望ましい実施態様及びその変更例が示されている。磁気ファスナ９は第一のファスナ部品９１０及び第二のファスナ部品９２０を含む。第一のファスナ部品９１０は、主ハウジング、ファスナ構造及びリング形磁石板を含む。主ハウジングは、第一のハウジング部品９３１及び第二のハウジング部品９３２を含み、これらは組み合わされて、リング形磁石を受け入れるための容器を形成する。第一のハウジング部品９３１は、プラスティック、ＡＢＳ、ＰＶＣまたはゴムなど透磁性物質で作られ、リング形磁石またはリング形磁気サブアセンブリの形状に合致するように成形される。第一のハウジング部品９３１及び第二のハウジング部品９３２は、リング形磁石と一緒に、磁気ファスナのサブアセンブリを形成する。ファスナ部品を防水及び防錆にするために、リング形裏蓋９４１、９７２を第一のハウジング部品９３１、９６１に取付けることができる。裏蓋は一緒に溶融、はんだ付けまたはペースト化できるように第一のハウジング部品９３１に対して適合性のある材料で作られることが望ましい。
【００５６】
第二のハウジング部品は、永久磁石板９５０から発する磁束が磁気結合面を通過することができ、同時に永久磁石の他方の面から発する磁束の方向を調整して磁気結合面に生じさせることができるように、磁性材料で作られる。従来の方法で可撓性の面に取付けるために第一のハウジング部品に複数のソーイング・ホールが形成される。第一のファスナ部品９１０の第一のハウジング部品は、突出部９３９を含むのに対して、第二のファスナ部品９２０の第一のハウジング部品９６１は、対応する部品が協働的な受け入れメカニズムを形成して磁気結合面が相対的に滑動するのを防止するように突起９９９を含む。第二のファスナ部品の第一のハウジング部品９６１及び第二のハウジング部品９６２は一般的に言って第一のファスナ部品の相当する部品と同じである。さらに、第一のファスナ部品の主ハウジング９３１及び裏蓋９４２は、ファスナ部品の安定性及び該当の表面へのファスナ部品の取付け可能性を強化するために複数のソーイング・ホールを備える。
【００５７】
図１０、図１０Ａ-１から図１０Ａ-７まで、図１０Ｂ-１から図１０Ｂ-２まで、図１０Ｃ及び図１０Ｄを参照すると、磁気ファスナ１０の第十の望ましい実施態様及びその変更例が示されている。磁気ファスナ１０は、第一のファスナ部品１０１０及び第二のファスナ部品１０２０を含む。第一のファスナ部品１０１０は、主ハウジング１０３１、ファスナ部品１０４２及びリング形永久磁石１０５０を含む。主ハウジングは、第一のハウジング部品１０３１及び第二のハウジング部品１０４２を含み、これらは組み合わされて、リング形磁石を受け入れるための磁気容器を形成する。第一のハウジング部品１０３１は、銅、ステンレス鋼、プラスティック、ＡＢＳ、ＰＶＣまたはゴムなど透磁性材料で作られ、リング形磁石１０５０またはリング形磁気アセンブリの形状に合致するコンパートメントを持つよう成形される。第一のハウジング部品１０３１、第二のハウジング部品１０４２及びリング形磁石１０５０は、組み合わされて、磁気ファスナの磁気サブアセンブリを形成する。第一のハウジング部品１０３１は、リング形裏蓋を備え、ファスナが事実上防水及び防錆であるように密閉部材で密閉される。裏蓋は、複数の直立フィンガ１０３７によって第一のハウジング部品１０３１に固定することができる。裏蓋１０４２は、一緒に溶融、はんだ付けまたは溶接することができるように第一のハウジング部品１０３１の材料に対して適合性のある材料で作られることが望ましい。
【００５８】
第二のファスナ部品１０２０のハウジング部品１０６１の磁気結合面は、永久磁石板１０５０の一面から発する磁束が磁気結合面を通過できるように透磁性材料で作られ、同時に、ハウジング部品は、永久磁石の他方の裏面１０６２から発する磁束を裏蓋によって磁気結合面に向かわせて磁気結合の強さを強化するようにタライ形（basin shaped）の主ハウジング部品１０６１を含む。同様に、裏蓋１０６２を複数の直立フィンガ１０６７によって主ハウジング部品に固定することができる。複数のソーイング・ホール１０４４が第一のハウジング部品に含まれる。
【００５９】
第一のファスナ部品１０１０は突出部１０３９を含むのに対して、第二のファスナ部品１０２２は対応する形状の凹み部分１０９９を含むので、結合面間の相対的な滑動を軽減する協働的な結合メカニズムを形成する。第一のファスナ部品１０１０及び第二のファスナ部品１０２０は、協働的な結合メカニズムを構成する部分（すなわち、１０３９と１０９９）を除いて、一般的に言って同じである。複数のソーイング・ホール１０４４を備える裏板１０４２は、第一のファスナ部品の一部を形成して、衣服などの可撓性の面におけるファスナ部品の取付け可能性及び安定性を改良することができる。図１０Ｃ及び図１０Ｄは、構造全体を単純化するために第二のファスナ部品が磁性材料１０４２の単純なタライ形に作られる、上記の望ましい実施態様の変更例を示している。図１０Ｄに示される通り、第二のファスナ部品は、さらに構造全体を単純化するために磁気特性を有する磁性タライ１０４２と置き換えることができる。
【００６０】
本発明について上述の望ましい実施態様を参照して説明したが、これらの実施態様は本発明の理解を助けるために例としてのみ示されており、その範囲を限定するものでないことが分かるだろう。例えば、第一のファスナ部品と第二のファスナ部品との間の協働的捕捉手段は、第三のハウジング部品と接続される磁気結合面より軸方向に上のレベルに狭窄部を含めるために、第三のハウジング部品（または保護手段）すなわち部品９１及び２９１を持つことによって形成することができる。この狭窄部は、対応する磁気結合面が軸方向に沿って第三のハウジング部品の狭窄開口を通り抜けられ、同時に側方の張力を受けるとき狭窄開口が組合せタブレット形磁石の相互の磁気軸に対してほぼ平行の方向に沿った対応する磁気結合面の通過に抵抗するのに適する。特に、本発明の範囲、境界及び精神は、上述の実施態様によって推論されるまたは例証される本発明の一般原理を含むものとする。より特定して言うと、当業者にとって自明のまたは当然の変更例または修正、並びに本発明の原理に加えられる改良は、本発明の範囲及び境界内に含まれるものと見なされるべきである。
【００６１】
さらに、本発明はファスナ部品の各々にタブレット形磁石を持つ磁気ファスナを参照して説明されているが、本発明は、修正またはその他の変更を加えるか否かに関係なく、一般性を失うことなく、対のファスナに１つだけタブレット形磁石を含むものを含めて他の変更例に応用できることが分かるはずである。
【図面の簡単な説明】
【００６２】
【図１】取付手段が分離された状態で示される、本発明の第一の望ましい実施態様の１対の組合せ磁気ファスナの長手断面図である。
【図１Ａ】それぞれ、組合せ磁気ファスナの第一のファスナ部品の断面図及び底面図を示している。
【図１Ａ−０】それぞれ、組合せ磁気ファスナの第一のファスナ部品の断面図及び底面図を示している。
【図１Ａ−１】構成要素の様々な対応する図を示している。
【図１Ａ−２】構成要素の様々な対応する図を示している。
【図１Ａ−３】構成要素の様々な対応する図を示している。
【図１Ａ−４】構成要素の様々な対応する図を示している。
【図１Ａ−５】構成要素の様々な対応する図を示している。
【図１Ａ−６】構成要素の様々な対応する図を示している。
【図１Ａ−７】構成要素の様々な対応する図を示している。
【図１Ｂ】それぞれ、組合せ磁気ファスナの第二のファスナ部品の断面図及び底面図を示している。
【図１Ｂ−０】それぞれ、組合せ磁気ファスナの第二のファスナ部品の断面図及び底面図を示している。
【図１Ｂ−１】構成要素の様々な対応する図を示している。
【図１Ｂ−２】構成要素の様々な対応する図を示している。
【図１Ｂ−３】構成要素の様々な対応する図を示している。
【図１Ｂ−４】構成要素の様々な対応する図を示している。
【図１Ｂ−５】構成要素の様々な対応する図を示している。
【図１Ｂ−６】構成要素の様々な対応する図を示している。
【図１Ｂ−７】構成要素の様々な対応する図を示している。
【図１Ｂ−８】構成要素の様々な対応する図を示している。
【図１Ｃ】対のファスナに特徴的な磁気軸に対して非平行または非直交の引き外し力を受けるときの図１の組合せ磁気ファスナを示している。
【図２】本発明の１対の組合せ磁気ファスナの第二の望ましい実施態様の長手断面図を示している。
【図２Ａ】図２の第一のファスナ部品２１０の長手断面図を示している。
【図２Ａ−１】図２の実施態様の組合せ磁気ファスナの構成要素の様々な対応する図を示している。
【図２Ａ−２】図２の実施態様の組合せ磁気ファスナの構成要素の様々な対応する図を示している。
【図２Ａ−３】図２の実施態様の組合せ磁気ファスナの構成要素の様々な対応する図を示している。
【図２Ａ−４】図２の実施態様の組合せ磁気ファスナの構成要素の様々な対応する図を示している。
【図２Ａ−５】図２の実施態様の組合せ磁気ファスナの構成要素の様々な対応する図を示している。
【図２Ａ−６】図２の実施態様の組合せ磁気ファスナの構成要素の様々な対応する図を示している。
【図２Ａ−７】図２の実施態様の組合せ磁気ファスナの構成要素の様々な対応する図を示している。
【図２Ａ−８】図２の実施態様の組合せ磁気ファスナの構成要素の様々な対応する図を示している。
【図２Ｂ−１】図２の実施態様の組合せ磁気ファスナの構成要素の様々な対応する図を示している。
【図２Ｂ−２】図２の実施態様の組合せ磁気ファスナの構成要素の様々な対応する図を示している。
【図２Ｂ−３】図２の実施態様の組合せ磁気ファスナの構成要素の様々な対応する図を示している。
【図２Ｂ−４】図２の実施態様の組合せ磁気ファスナの構成要素の様々な対応する図を示している。
【図２Ｂ−５】図２の実施態様の組合せ磁気ファスナの構成要素の様々な対応する図を示している。
【図２Ｂ−６】図２の実施態様の組合せ磁気ファスナの構成要素の様々な対応する図を示している。
【図２Ｂ−７】図２の実施態様の組合せ磁気ファスナの構成要素の様々な対応する図を示している。
【図２Ｂ−８】図２の実施態様の組合せ磁気ファスナの構成要素の様々な対応する図を示している。
【図３】本発明の第三の望ましい実施態様の１対の組合せ磁気ファスナの長手断面図を示している。
【図３Ａ】図３の組合せ磁気ファスナのうち一方の長手断面図を示している。
【図３Ａ−１】それぞれ部品３３１及び３６１の底面図及び断面図を示している。
【図３Ａ−２】それぞれ部品３３１及び３６１の底面図及び断面図を示している。
【図３Ｂ−１】それぞれ図３の実施態様に使用することができる第一及び第二のハウジング部品３３１及び３６１の修正形態の断面図及び平面図を示している。
【図３Ｂ−２】それぞれ図３の実施態様に使用することができる第一及び第二のハウジング部品３３１及び３６１の修正形態の断面図及び平面図を示している。
【図４】取付手段が分離された状態で示される、本発明の第四の望ましい実施態様の１対の組合せ磁気ファスナの長手断面図である。
【図４Ａ】図４の組合せ磁気ファスナのうち一方の長手断面図を示している。
【図５】本発明の第五の望ましい実施態様及びその変更例を示している。
【図５Ａ】本発明の第五の望ましい実施態様及びその変更例を示している。
【図６】本発明の第六の望ましい実施態様及びその変更例を示している。
【図６Ａ】本発明の第六の望ましい実施態様及びその変更例を示している。
【図７】本発明の第七の望ましい実施態様を示し、図７Ｂはその変更例を示している。
【図７Ａ】本発明の第七の望ましい実施態様を示し、図７Ｂはその変更例を示している。
【図７Ａ−１】図７Ａの構成要素のハウジングの断面図を示している。
【図７Ａ−２】図７Ａの構成要素のハウジングの断面図を示している。
【図７Ｂ−１】それぞれ図７Ｂの構成ファスナのハウジングの上面図及び断面図を示している。
【図７Ｂ−２】それぞれ図７Ｂの構成ファスナのハウジングの上面図及び断面図を示している。
【図８】本発明の第八の望ましい実施態様を示し、図８Ａ-１から８Ａ-１１まではその構成部品の様々な図を示している。
【図９】本発明の第九の望ましい実施態様の１対の磁気ファスナの断面図、及びファスナ部品の対応する断面図及びその分解図を示している。
【図９Ａ】本発明の第九の望ましい実施態様の１対の磁気ファスナの断面図、及びファスナ部品の対応する断面図及びその分解図を示している。
【図９Ｂ】本発明の第九の望ましい実施態様の１対の磁気ファスナの断面図、及びファスナ部品の対応する断面図及びその分解図を示している。
【図９Ｃ】本発明の第九の望ましい実施態様の１対の磁気ファスナの断面図、及びファスナ部品の対応する断面図及びその分解図を示している。
【図９Ａ−１】構成部品の様々な図を示している。
【図９Ａ−２】構成部品の様々な図を示している。
【図９Ａ−３】構成部品の様々な図を示している。
【図９Ａ−４】構成部品の様々な図を示している。
【図９Ａ−５】構成部品の様々な図を示している。
【図９Ａ−６】構成部品の様々な図を示している。
【図９Ａ−７】構成部品の様々な図を示している。
【図９Ａ−８】構成部品の様々な図を示している。
【図９Ｂ−１】構成部品の様々な図を示している。
【図９Ｂ−２】構成部品の様々な図を示している。
【図９Ｂ−３】構成部品の様々な図を示している。
【図９Ｂ−４】構成部品の様々な図を示している。
【図１０】本発明の第十の望ましい実施態様の１対の磁気ファスナの断面図を示している。
【図１０Ａ−１】構成部品の様々な対応する図を示している。
【図１０Ａ−２】構成部品の様々な対応する図を示している。
【図１０Ａ−３】構成部品の様々な対応する図を示している。
【図１０Ａ−４】構成部品の様々な対応する図を示している。
【図１０Ａ−５】構成部品の様々な対応する図を示している。
【図１０Ａ−６】構成部品の様々な対応する図を示している。
【図１０Ａ−７】構成部品の様々な対応する図を示している。
【図１０Ｂ−１】構成部品の様々な対応する図を示している。
【図１０Ｂ−２】構成部品の様々な対応する図を示している。
【図１０Ｃ】その多少の変更例を示している。
【図１０Ｄ】その多少の変更例を示している。
【手続補正３】
【補正対象書類名】図面
【補正対象項目名】図１Ｃ
【補正方法】変更
【補正の内容】
【図１Ｃ】
2006516916.tif 000023
【手続補正４】
【補正対象書類名】図面
【補正対象項目名】図２
【補正方法】変更
【補正の内容】
【図２】
2006516916.tif 000024
【国際調査報告】
2006516916.tif 000025
2006516916.tif 000026
2006516916.tif 000027
2006516916.tif 000028
2006516916.tif 000029